(57)【特許請求の範囲】
【請求項１】
吸収性物品を含むパッケージであって、
複数の吸収性物品を収容し、腰部輪郭に対する標的身体長さを計算するために使用されるサイズ情報を示す表示部を含む、パッケージ材料と、
前記複数の吸収性物品の各吸収性物品であって、
前側腰部領域と、後側腰部領域と、その間の股部領域と、
トップシートと、バックシートと、前記トップシートと前記バックシートとの間に配置された吸収性コアと、を含むシャーシであって、前端縁部と、後端縁部と、一対の横方向に対向する側縁部と、を含む、シャーシと、
前記シャーシの前記後端縁部の外側に重なり且つ延在する前記後側腰部領域に配置された後側ベルトであって、第１の複数の弾性体を含む後側ベルトと、
前記シャーシの前記前端縁部の外側に重なり且つ延在する前記前側腰部領域に配置された前側ベルトであって、第２の複数の弾性体を含む前側ベルトと、を含み、
前記前側ベルトは、前記横方向に対向するベルト側縁部で又は当該ベルト側縁部に隣接して前記後側ベルトに接合されて、脚部開口部及び腰部開口部を形成して、閉鎖形態のパンツを形成し、
長手方向軸は、前記吸収性物品の前側腰部縁部の中点から前記吸収性物品の後側腰部縁部の中点まで延在し、
横方向軸は、前記長手方向軸の中点を通って前記長手方向軸に垂直に延在し、
前記第１の複数の弾性体及び前記第２の複数の弾性体のそれぞれは、４ｍｍ未満の平均ストランド間隔を有し、
前記腰部輪郭に対する標的身体長さと腰部輪郭に対する製品長さとの間の差が、約−０．３〜約０．３であり、
前記吸収性物品が、約８０ｍｍ〜約２７０ｍｍの弛緩した製品腰部幅と、約１３０ｍｍ〜約２７０ｍｍの弛緩した製品長さと、を有する、吸収性物品と、を含み、
前記後側ベルトが、４つの等しいセクションに分割されており、セクション４が、前記後側ベルトの近位端縁部を含み、セクション１が、前記後側ベルトの遠位端縁部を含み、セクション２が、セクション１に近接しており、セクション３が、セクション４に近接しており、前記セクションのうちの少なくとも２つがそれぞれ、１０本超の弾性ストランドを有し、前記前側ベルトが、４つの等しいセクションに分割されており、セクション４が、前記後側ベルトの近位端縁部を含み、セクション１が、前記後側ベルトの遠位端縁部を含み、セクション２が、セクション１に近接しており、セクション３が、セクション４に近接しており、前記セクションのうちの少なくとも２つがそれぞれ、１０本超の弾性ストランドを有する、パッケージ。
【請求項２】
前記第１の複数の弾性体が、約７０本超の弾性ストランドを含み、前記第２の複数の弾性体が、約５０本超の弾性ストランドを含む、請求項１に記載のパッケージ。
【請求項３】
前記第１の複数の弾性体が、３ｍｍ未満の平均ストランド間隔を有し、前記第２の複数の弾性体が、３ｍｍ未満の平均ストランド間隔を有する、請求項１〜２のいずれか一項に記載のパッケージ。
【請求項４】
前記第１の複数の弾性体の平均Ｄｔｅｘが、約１０〜約５００であり、前記第２の複数の弾性体の平均Ｄｔｅｘは、約１０〜約５００である、請求項１〜３のいずれか一項に記載のパッケージ。
【請求項５】
前記第１の複数の弾性体のストランド下圧力が、６９０〜６９００Ｎ／ｍ２（約０．１〜約１ｐｓｉ）であり、前記第２の複数の弾性体の前記ストランド下圧力が、６９０〜６９００Ｎ／ｍ２（約０．１〜約１ｐｓｉ）である、請求項１〜４のいずれか一項に記載のパッケージ。
【請求項６】
前記後側ベルトのセクション１が、前記前側ベルトのセクション１より長手方向に長い、請求項１〜５のいずれか一項に記載のパッケージ。
【請求項７】
前記後側ベルトの前記第１の複数の弾性体が、内側不織布と外側不織布との間にあり、前記前側ベルトの前記第２の複数の弾性体が、内側不織布と外側不織布との間にあり、前記前側ベルト及び後側ベルトの前記内側不織布が、互いに別個かつ区別でき、長手方向に離間しており、前記前側ベルト及び後側ベルトの前記外側不織布が、互いに別個かつ区別でき、長手方向に離間している、請求項１〜６のいずれか一項に記載のパッケージ。
【請求項８】
前記吸収性物品が、約１７０ｍｍ〜約２７０ｍｍの弛緩した製品腰部幅と、約２００ｍｍ〜約２７０ｍｍの弛緩した製品長さとを有する、請求項１〜７のいずれか一項に記載のパッケージ。
【請求項９】
前記吸収性物品が、約８０ｍｍ〜約１８０ｍｍの弛緩した製品腰部幅と、約１３０ｍｍ〜約２００ｍｍの弛緩した製品長さとを有する、請求項１〜７のいずれか一項に記載のパッケージ。
【請求項１０】
前記吸収性物品が、約３００ｍｍ〜約４００ｍｍの弛緩した製品腰部幅と、約３５０ｍｍ〜約４５０ｍｍの弛緩した製品長さとを有する、請求項１〜７のいずれか一項に記載のパッケージ。
【請求項１１】
前記吸収性物品が、約２００ｍｍ〜約３００ｍｍの弛緩した製品腰部幅と、約２５０ｍｍ〜約４５０ｍｍの弛緩した製品長さとを有する、請求項１〜７のいずれか一項に記載のパッケージ。
【請求項１２】
前記後側ベルトの前記第１の複数の弾性体が、内側不織布と外側不織布との間にあり、前記前側ベルトの前記第２の複数の弾性体が、内側不織布と外側不織布との間にあり、前記前側ベルト及び後側ベルトの前記内側不織布が、前記前側ベルトの遠位端縁部から前記後側ベルトの遠位端縁部まで連続的に延在する共通不織布層であり、前記前側ベルト及び後側ベルトの前記外側不織布が、前記前側ベルトの遠位端縁部から前記後側ベルトの遠位端縁部まで連続的に延在する共通不織布層である、請求項１〜６のいずれか一項に記載のパッケージ。
【請求項１３】
前記第１の複数の弾性体及び前記第２の複数の弾性体が、ポリウレタン尿素を含む、請求項１〜１２のいずれか一項に記載のパッケージ。
【請求項１４】
前記後側ベルト及び前記前側ベルトを形成するために前記第１の複数の弾性体及び前記第２の複数の弾性体を単一のビームから巻き出す工程を含む、請求項１〜１３のいずれか一項に記載のパッケージの製造方法。
【発明の詳細な説明】
【技術分野】
【０００１】
本開示は、吸収性物品に関し、より具体的には、使い捨て吸収性物品の様々な構成要素において実施するように構成された改善されたエラストマー積層体を含む使い捨て吸収性物品に関する。
【背景技術】
【０００２】
望ましくは、吸収性物品は着用者の身体との接触を維持し、可能な限り密にぴったり合うような設計及び寸法にする必要がある。そのような身体適合設計は、尿などが着用者の身体に沿って広がるか又は移動し、吸収性物品に吸収されるのではなく漏れ出る可能性を低減することによって、吸収性物品の有効性を高めることができる。しかしながら、現在の市場のストランド状の吸収性物品は、身体形状又は製品形状に適切に対応しないため、広範囲のユーザに適切にフィットしないか、又は所望のレベルのぴったりしたフィット性を提供しない。現在の市場にあるストランド状の吸収性物品の欠点を克服するために、より良好なフィット性、より良好な適合性、より良好なガスケッチング製品を得るために、腰部輪郭に対する製品長さ（以下に定義される）を標的とする消費者の腰部輪郭に対する身体長さ（以下に定義される）の腰部輪郭に対する製品長さと結び付けることが望ましい場合がある。そうすることにより、漏れを低減しながら、各消費者の着用快適性を向上させることができる。
【０００３】
良好なフィットに必要である十分な圧力を身体に送達するために、腰部ベルトのための弾性ストランドを含む現在市場にある閉鎖形態のパンツ製品は、より狭い弛緩した製品の腰部幅（以下に定義される）を有する傾向がある。これは、それらの平均ストランド間隔及び平均Ｄｔｅｘによるものであり、その結果は比較的低弾性であり、したがって必要な圧力を送達するためにより多くの伸張を必要とする。これらは、より大きな平均予歪みを介して、このより大きな使用中伸張を達成し、その結果、それらの弛緩した腰部は、ユーザの身体よりも著しく小さくなる。
【０００４】
腰部輪郭に対する身体長さのものに近い腰部輪郭に対する製品長さを有し、体重に応じて変化するように設計されている、本明細書に開示される吸収性物品に対する重要な利益は、製品自体が身体の形状とより密接に一致することである。これにより、製品は、現在市販されている製品によって示されるように、より大きな範囲にフィットするように一般的に設計されているものよりも、適用中に著しく小さい程度に変形されることになる。また、製品のフィット性ももたらされ、これは身体形状に合わせてよりぴったりとなっており、股部においてより効果的なガスケッチングをもたらし、異物がより少ない。身体の一般的な形状を模倣する製品設計は、腰部輪郭に対する製品長さが消費者の腰部輪郭に対する身体長さに類似するにつれて、より良好でよりぴったり合ったフィット感を消費者に伝える。本開示によって有効にされる設計は、設計によってより対象を絞っており、したがって、より高いレベルのフィット性、ガスケッチング、快適性及び裁量を提供する。
【発明の概要】
【発明が解決しようとする課題】
【０００５】
上記概念と組み合わされた本明細書に開示される改善されたエラストマー積層体は、現在市販されているストランド状の閉鎖形態のパンツ型物品に必要とされる平均予歪み量を伴わずに、良好なフィットに必要な十分な装着圧力を送達する。これは、身体腰部幅（以下に定義される）のものに近い弛緩した製品の腰部幅（以下に定義される）を有する、閉鎖形態のパンツ型物品をもたらす。
【０００６】
本開示はまた、上で詳細に述べた設計概念を可能にするエラストマー積層体を詳述する。本明細書に開示される本発明の積層体は、既に開示又は使い捨て吸収性物品に実施されているよりも大きい繊度及びより近い間隔を有する、より多くの弾性ストランドを含む。これらの改善された積層体を、着用者の腰部、脚部、股部、及び側部におけるフィット及びガスケッチング用の使い捨て吸収性物品（例えば（for, example）、テープ式おむつ、パンツ、パッド、及びライナー）の構成要素として使用して、一般的に最高レベルの延伸性、最も快適な着用状態、改善された漏れ防止及びより良好なフィットをもたらすことができる。
【０００７】
より具体的には、これらの改善されたエラストマー積層体は、現在知られている従来のエラストマー積層体に比べて、所与の弾性率における着用者の皮膚上の弾性ストランドの少ない圧力を含む、上で詳述した設計概念の最良の実施を可能にするいくつかの利点を提供する。これらの改善は、結果として適用性、フィット、快適性を向上させ、また着用者の皮膚に跡が付くのを低減することになる。本出願に開示される本発明のエラストマー積層体は、今日の使い捨て吸収性物品に使用される従来のストランド状でフィルム版の積層体よりも良好に機能する。
【課題を解決するための手段】
【０００８】
開示される一例では、吸収性物品は、腰部輪郭に対する標的身体長さを計算するために使用されるサイズ情報サイズ情報（sizing information sizing information）の表示部を含むパッケージ内の複数の吸収性物品のうちの１つであってもよい。パッケージ内の各吸収性物品は、前側腰部領域、後側腰部領域、及びそれらの間の股部領域、シャーシ、後側ベルト、並びに前側ベルトを含んでもよい。シャーシは、トップシート、バックシート、及びトップシートとバックシートとの間に配置された吸収性コアを含んでもよく、シャーシは、前端縁部、後端縁部、及び一対の横方向に対向する側縁部を備えてもよい。後側ベルトは、後側腰部領域に配置され、シャーシの後端縁部の外側に重なり且つ延在してもよい。前側ベルトは、前側腰部領域に配置され、シャーシの前端縁部の外側に重なり且つ延在してもよい。前側ベルトは、横方向に対向するベルト側縁部で又はそのベルト側縁部に隣接して後側ベルトに接合されて、脚部開口部及び腰部開口部を形成して、閉鎖形態のパンツを形成してもよい。長手方向軸は、前側腰部縁部の中点から後側腰部縁部の中点まで延在してもよく、横方向軸は、長手方向軸の中点を通って長手方向軸に対して垂直に延在してもよい。後側ベルトは、約４０本超の弾性ストランドを含む第１の複数の弾性体を含んでもよく、前側ベルトは、約４０本超の弾性ストランドを含む第２の複数の弾性体を含んでもよい。第１の複数の弾性体は、４ｍｍ未満の平均ストランド間隔を有してもよく、第１の複数の弾性体は、４ｍｍ未満の平均ストランド間隔を有してもよい。腰部輪郭に対する標的身体長さと腰部輪郭に対する製品長さとの間の差は、約−０．３〜約０．３であってもよく、吸収性物品は、約８０ｍｍ〜約２７０ｍｍの弛緩した製品の腰部幅及び約１３０ｍｍ〜約２７０ｍｍの弛緩した製品長さを有し得る。
【０００９】
吸収性物品は、約１７０ｍｍ〜約２７０ｍｍの弛緩した製品腰部幅、及び約２００ｍｍ〜約２７０ｍｍの弛緩した製品長さを有し得る。
【００１０】
吸収性物品は、約８０ｍｍ〜約１８０ｍｍの弛緩した製品の腰部幅、及び約１３０ｍｍ〜約２００ｍｍの弛緩した製品長さを有し得る。
【００１１】
後側ベルトは、約７０本超の弾性ストランドを含む第１の複数の弾性体を含んでもよく、前側ベルトは、約５０本超の弾性ストランドを含む第２の複数の弾性体を含んでもよい。
【００１２】
第１の複数の弾性体は、３ｍｍ未満の平均ストランド間隔を有してもよく、第１の複数の弾性体は、３ｍｍ未満の平均ストランド間隔を有してもよい。
【００１３】
第１の複数の弾性体の平均Ｄｔｅｘは、約１０〜約５００であってもよく、第２の複数の弾性体の平均Ｄｔｅｘは、約１０〜約５００であってもよい。
【００１４】
第１の複数の弾性体の平均ストランド下圧力（Average-Pressure-Under-Strand）は、約０．１〜約１ｐｓｉであってもよく、第２の複数の弾性体の平均ストランド下圧力は、約０．１〜約１ｐｓｉであってもよい。
【００１５】
後側ベルトは、４つの等しいセクションに分割されてもよく、セクション４は後側ベルトの近位端縁部を含んでもよく、セクション１は後側ベルトの遠位端縁部を含んでもよく、セクション２はセクション１に近接していてもよく、セクション３はセクション４に近接していてもよく、セクションのうちの少なくとも２つはそれぞれ、１０本超の弾性ストランドを有してもよく、前側ベルトは４つの等しいセクションに分割されてもよく、セクション４は後側ベルトの近位端縁部を含んでもよく、セクション１は後側ベルトの遠位端縁部を含んでもよく、セクション２はセクション１に近接していてもよく、セクション３はセクション４に近接していてもよく、セクションのうちの少なくとも２つはそれぞれ、１０本超の弾性ストランドを有してもよい。
【００１６】
後側ベルトのセクション１は、前側ベルトのセクション１よりも長手方向に長くてもよい。
【００１７】
後側ベルトの第１の複数の弾性体は、内側不織布と外側不織布との間にあってもよく、前側ベルトの第２の複数の弾性体は、内側不織布と外側不織布との間にあってもよく、前側ベルト及び後側ベルトの内側不織布は、互いに別個かつ区別でき、長手方向に離間していてもよく、前側ベルト及び後側ベルトの外側不織布は、互いに別個かつ区別でき、長手方向に離間していてもよい。
【００１８】
開示される別の例では、吸収性物品は、腰部輪郭に対する標的身体長さを計算するために使用されるサイズ情報サイズ情報の表示部を含むパッケージ内の複数の吸収性物品のうちの１つであってもよい。パッケージ内の各吸収性物品は、前側腰部領域、後側腰部領域、及びそれらの間の股部領域、シャーシ、後側ベルト、並びに前側ベルトを含んでもよい。シャーシは、トップシート、バックシート、及びトップシートとバックシートとの間に配置された吸収性コアを含んでもよく、シャーシは、前端縁部、後端縁部、及び一対の横方向に対向する側縁部を備えてもよい。後側ベルトは、シャーシの後端縁部の外側に重なり且つ延在する後側腰部領域に配置されていてもよい。前側ベルトは、シャーシの前端縁部の外側に重なり且つ延在する前側腰部領域に配置されていてもよい。前側ベルトは、横方向に対向するベルト側縁部で又はそのベルト側縁部に隣接して後側ベルトに接合されて、脚部開口部及び腰部開口部を形成して、閉鎖形態のパンツを形成してもよい。長手方向軸は、前側腰部縁部の中点から後側腰部縁部の中点まで延在してもよく、横方向軸は、長手方向軸の中点を通って長手方向軸に対して垂直に延在する。後側ベルトは、約６０本超の弾性ストランドを含む第１の複数の弾性体を含んでもよく、前側ベルトは、約６０本超の弾性ストランドを含む第２の複数の弾性体を含んでもよい。第１の複数の弾性体は、４ｍｍ未満の平均ストランド間隔を有してもよく、第１の複数の弾性体は、４ｍｍ未満の平均ストランド間隔を有してもよい。腰部輪郭に対する標的身体長さと腰部輪郭に対する製品長さとの間の差は、約−０．３〜約０．３であってもよく、吸収性物品は、約２００ｍｍ〜約４００ｍｍの弛緩した製品の腰部幅及び約２５０ｍｍ〜約４５０ｍｍの弛緩した製品長さを有し得る。
【００１９】
吸収性物品は、約３００ｍｍ〜約４００ｍｍの弛緩した製品の腰部幅、及び約３５０ｍｍ〜約４５０ｍｍの弛緩した製品長さを有し得る。
【００２０】
吸収性物品は、約２００ｍｍ〜約３００ｍｍの弛緩した製品の腰部幅、及び約２５０ｍｍ〜約４５０ｍｍの弛緩した製品長さを有し得る。
【００２１】
後側ベルトは、約８０本超の弾性ストランドを含む第１の複数の弾性体を含んでもよく、前側ベルトは、約８０本超の弾性ストランドを含む第２の複数の弾性体を含んでもよい。
【００２２】
第１の複数の弾性体は、２．５ｍｍ未満の平均ストランド間隔を有してもよく、第１の複数の弾性体は、２．５ｍｍ未満の平均ストランド間隔を有してもよい。
【００２３】
第１の複数の弾性体の平均Ｄｔｅｘは、約１０〜約５００であってもよく、第２の複数の弾性体の平均Ｄｔｅｘは、約１０〜約５００であってもよい。
【００２４】
第１の複数の弾性体の平均ストランド下圧力は、約０．１〜約１ｐｓｉであってもよく、第２の複数の弾性体の平均ストランド下圧力は、約０．１〜約１ｐｓｉであってもよい。
【００２５】
後側ベルトは、４つの等しいセクションに分割されてもよく、セクション４は後側ベルトの近位端縁部を含んでもよく、セクション１は後側ベルトの遠位端縁部を含んでもよく、セクション２はセクション１に近接していてもよく、セクション３はセクション４に近接していてもよく、セクションのうちの少なくとも２つはそれぞれ、２０本超の弾性ストランドを有してもよく、前側ベルトは４つの等しいセクションに分割されてもよく、セクション４は後側ベルトの近位端縁部を含んでもよく、セクション１は後側ベルトの遠位端縁部を含んでもよく、セクション２はセクション１に近接していてもよく、セクション３はセクション４に近接していてもよく、セクションのうちの少なくとも２つはそれぞれ、２０本超の弾性ストランドを有してもよい。
【００２６】
後側ベルトの第１の複数の弾性体は、内側不織布と外側不織布との間にあってもよく、前側ベルトの第２の複数の弾性体は、内側不織布と外側不織布との間にあってもよく、前側ベルト及び後側ベルトの内側不織布は、互いに別個かつ区別でき、長手方向に離間しており、前側ベルト及び後側ベルトの外側不織布は、前側ベルトの遠位端縁部から後側ベルトの遠位端縁部まで連続的に延在する共通不織布層を有してもよい。
【００２７】
後側ベルトの第１の複数の弾性体は、内側不織布と外側不織布との間にあってもよく、前側ベルトの第２の複数の弾性体は、内側不織布と外側不織布との間にあってもよく、前側ベルト及び後側ベルトの内側不織布は、前側ベルトの遠位端縁部から後側ベルトの遠位端縁部まで連続的に延在する共通不織布層であってもよく、前側ベルト及び後側ベルトの外側不織布は、前側ベルトの遠位端縁部から後側ベルトの遠位端縁部まで連続的に延在する共通不織布層であってもよい。
【図面の簡単な説明】
【００２８】
【図１】身体形状に対する身体長さ及び腰部幅を示す。
【図２】平らに広げられ、弛緩し、かつ折り畳まれていない状態の、閉鎖形態のパンツ製品を示す。
【図３】再締結可能なサイドシームを有するサイドパネルを含むパンツの側面図である。
【図３Ａ】図３のパンツの線３Ａ−３Ａに沿って取られた再締結可能なシームの断面図である。
【図３Ｂ】サイドパネルを接合して腰部開口部及び脚部開口部を形成する前の、図３に例示されるパンツの平面図である。
【図４】サイドパネルを接合して腰部開口部及び脚部開口部を形成する前の、一体式サイドパネルを含むパンツの平面図である。
【図５】複数の弾性ゾーンを含むベルトを含むパンツの斜視正面図である。
【図５Ａ】図５のパンツの斜視背面図である。
【図６】連続弾性体及び不連続弾性体の両方を有する別個のベルトを含むパンツの斜視正面図である。
【図７】ベルトの側縁部を接合して腰部開口部及び脚部開口部を形成する前の、図６のパンツの平面図である。
【図７Ａ】伸縮性トップシート及び伸縮性バックシートを示す、図７のベルトパンツの代替的な実施形態の平面図である。
【図７Ｂ】伸縮性トップシート（長手方向軸４２と平行に配向された弾性体３１６を示す）及び伸縮性バックシート（長手方向軸４２と平行に配向された弾性体３１６を示す）を図示する、横軸に沿って取られた、図７Ａのパンツの断面図である。
【図７Ｃ】横軸に沿って取られた図７Ａのパンツの代替的な実施形態の断面図であり、コアラップはコア１２８を完全に取り巻き、弾性体３１６は、コアラップ７４とバックシート１２５との間で長手方向軸４２と平行に配向され、コアラップ７４とトップシート１２４との間の長手方向軸４２と平行に配向され、コア１２８は、パルプ５３と混合されたＡＧＭ５１を含む。
【図７Ｄ】長手方向に対向する別個のベルトを示す、長手方向軸４２に沿って取られた図７のパンツの代替的な実施形態の断面図であり、弾性体３１６は、コアラップ７４とトップシート１２４との間の横方向軸４４と平行に配向され、バックシートフィルム１２６とバックシート不織布１２７との間の横方向軸４４と平行に配向されている。
【図７Ｅ】長手方向軸４２に沿って取られた図７のベルトパンツの代替的な実施形態の断面図であり、長手方向に対向する別個の内側ベルト層４３２及び共通外側ベルト層４３４を示し、コアにわたって連続的に延在する弾性体３１６を示す。
【図８】ベルトの側縁部を接合して腰部開口部及び脚部開口部を形成する前のパンツの平面図であり、潜在的な着用者の低運動ゾーン内に配置された複数のビームされた弾性ゾーンを示す。
【図９】一対の成形された別個のエラストマー耳パネル５３０及び一対の非エラストマー耳パネル５４０を含むテープ式おむつの平面図である。
【図９Ａ】図９のテープ式おむつの斜視正面図である。
【図１０】一対の別個のエラストマー耳パネル及び一対の非エラストマー耳パネル及び成形されたバックシートを含むテープ式おむつの平面図である。
【図１１】婦人衛生物品８０１、具体的にはライナーの外部平面図である。
【図１１Ａ】レッグカフ５２を示す図１１の婦人衛生物品８０１の内部平面図である。
【図１１Ｂ】図９の婦人衛生物品８０１の横方向軸４４に沿った、婦人衛生物品８０１の断面図である。
【図１２】婦人衛生物品８０１、具体的にはパッドの内部平面図であり、伸縮性羽根８０２を示し、弾性体３１６は、長手方向軸４２及び横方向軸４４に対して約４５度の角度にある。
【図１２Ａ】伸縮性羽根８０２を示す図１２の婦人衛生物品８０１の代替的実施形態の外部平面図であり、弾性体３１６は、長手方向軸４２と平行に配向されている。
【図１２Ｂ】図１２Ａの婦人衛生物品８０１の線１２Ｂ／Ｃ−１２Ｂ／Ｃに沿った婦人衛生物品８０１の断面図であり、羽根を構成する層の間のストランドを示す。
【図１２Ｃ】図１２Ａの婦人衛生物品８０１の線１２Ｂ／Ｃ−１２Ｂ／Ｃに沿った婦人衛生物品８０１の代替的な実施形態の断面図であり、羽根を構成する層の間のストランドのうちの１つの層のみ、並びにトップシート１２４及び二次トップシート１２４’の一部分の下にあるストランド、又はトップシート１２４及び二次トップシート１２４’の一部分を形成するストランドを示す。
【図１３】横方向バリアを含むテープ式物品の斜視内部上面図である。
【図１４】第１の基材と第２の基材との間に位置付けられた第１の複数の弾性ストランドを含むエラストマー積層体を製造するように適合された加工装置の概略側面図である。
【図１４Ａ】線１４Ａ−１４Ａに沿って取られた図１４の加工装置の図である。
【図１５】断面係数を示す。
【図１６】ストランド下圧力を示す。
【図１７】体重が増加するにつれて、腰部輪郭に対する身体長さ及び腰部輪郭に対する平均身体長さがどのように変化するかを示すチャートである。
【図１８】既存の製品アレイの例、及び各製品がフィットするように対象となる体重範囲について、それらの腰部輪郭に対する製品長さが腰部輪郭に対する身体長さと比較してどうかを示すグラフである。
【図１９】消費者の体重と腰部周囲との間の関係を示すチャートであり、腰部に対する平均体重は、特により大きな消費者に関して合理的に予測され得る。
【図２０】サンプルホルダー装置のバーＣ（６０４）及びバーＯ（６０５）を示す。
【図２１】平坦な、折り畳まれていない閉鎖形態のパンツを示す。
【図２２】試験装置内の閉鎖形態のパンツを示す。
【図２３】様々なエラストマー積層体の経時的な力緩和を示すグラフである。
【図２４】寸法表示を有するパッケージ化された物品を示す。
【発明を実施するための形態】
【００２９】
本開示は、より大きい繊度（すなわち、より低いデシテックス）及び使い捨て吸収性物品において以前に開示された又は実践されているよりも狭い間隔を有する、より多数の弾性ストランドを含む、改善されたエラストマー積層体（「ビームされた弾性体」を含む「ビームされた積層体」とも呼ばれる）を詳細に詳述する。これらの改善された積層体を、着用者の腰部、脚部、股部、及び側部におけるフィット及びガスケッチング用の使い捨て吸収性物品（例えば、テープ式おむつ、パンツ、パッド、及びライナー）の構成要素として使用して、一般的に最高レベルの延伸性、最も快適な着用状態、改善された漏れ防止及びより良好なフィットをもたらすことができる。
【００３０】
本開示を理解する上で、以下の用語説明が有用であり得る。
【００３１】
吸収性物品に関連する「使い捨て」は、その吸収性物品について、洗濯するか、又は別の方法で吸収性物品として復元されるか若しくは再利用されることが、一般的に意図されていないこと（即ち、それらの吸収性物品について、１回の使用の後で廃棄されたり、好ましくは、リサイクルされたり、堆肥化されたり、又はその他環境に適合する方法で廃棄されたりすることが意図されていること）を意味する。使い捨て吸収性物品は、多くの場合、物品を一緒に保持するために層及び／又は要素間に接着剤を含む（例えば、耳パネル、サイドパネル、及びベルトは、接着剤を介してシャーシに接合され、耳パネル、サイドパネル、ベルト、及びシャーシの層は、接着剤を使用して一緒に接合される）。あるいは、熱及び／又は圧力結合は、接着剤と共に、又は接着剤の代わりに使用される。そのような場合、材料層の部分は、部分的に溶融され、一緒に押圧され得、その結果一旦冷却されると、それらは、物理的に一緒に結合される。不織布（例えば、ポリプロピレン、ポリエチレンなどを含む）、接着剤（例えば、スチレン系ブロックコポリマー（例えば、ＳＩＳ、ＳＢＳ）を含む）、及び吸収性ゲル材料（ＡＧＭ５１−図７及び７Ｂを参照）は、使い捨て吸収性物品の重量の５０％超、７５％超、及び多くの場合９０％超を構成する。また、ＡＧＭ５１を含むコアは多くの場合、通常の条件下でＡＧＭ５１を封入して封じ込める様式で、シャーシ内に保持される。このような使い捨て吸収性物品は、典型的には、約１００ｍＬ超の流体の吸収能力を有し、最大約５００ｍＬ以上の流体の容量を有することができる。縫製（糸の使用を含む）及び／又は織布材料は、典型的には、使い捨て吸収性物品を作製するためには使用されない。縫製又は織布材料が使用される場合、それらは、使い捨て吸収性物品の非常に小さい割合を占める。締結具のための使い捨て吸収性物品の一部のランディングゾーンは、織布材料を含むことができるが、使い捨て吸収性物品の他の部分は、典型的には織布材料を含まない。
【００３２】
「吸収性物品」とは、身体排泄物を吸収及び封じ込める器具を指し、より詳細には、着用者の身体に接して、又は着用者の身体の近位に置かれて、身体から排出される様々な排泄物を吸収し、封じ込める器具を指す。吸収性物品の例としては、おむつ、トレーニングパンツ、プルオンパンツ式おむつ（即ち、米国特許第６，１２０，４８７号に示されているような予め形成された腰部開口部及び脚部開口部を有するおむつ）、再締結可能なおむつ若しくはパンツ型おむつ、失禁用ブリーフ及び下着、おむつホルダ及びライナー、例えばパンティライナー、婦人用パッド、吸収性挿入物などの婦人衛生衣類などが挙げられる。
【００３３】
「近位」及び「遠位」とは、それぞれ、要素が構造体の長手方向中心線又は横方向中心線に対して、相対的に近くに又は遠くに位置していることを指す（例えば、長手方向に延びている、ある要素の近位縁部は、長手方向軸に対して、同じ要素の遠位縁部が、同じ長手方向軸に対して位置するよりも近くに位置している）。
【００３４】
「身体に面する」及び「衣類に面する」とは、それぞれ、要素、又は要素の表面、又は要素の群の相対位置を指す。「身体に面する」とは、要素又は表面が、何らかの他の要素又は表面よりも、着用時に着用者により近いことを意味する。「衣類に面する」とは、要素又は表面が、何らかの他の要素又は表面よりも、着用時に着用者からより遠く離れている（即ち、要素又は表面が、使い捨て吸収性物品の上に着用され得る着用者の衣類に対して近位にある）ことを意味する。
【００３５】
「長手方向」とは、物品の腰部縁部から、反対側の腰部縁部まで実質的に垂直に、及び物品の最大直線寸法に略平行に延びる方向を指す。長手方向の４５度以内の方向は、「長手方向」であると見なされる。
【００３６】
「横方向」は、物品の長手方向に延在する縁部から反対側の長手方向に延在する縁部まで延び、長手方向に概ね直角である方向を指す。横方向の４５度以内の方向は、「横方向」であると見なされる。
【００３７】
「配置される（disposed）」とは、要素が、ある特定の場所又は位置に置かれていることを指す。
【００３８】
「接合した」は、１つの要素を他の要素に直接付着させることによりその要素が他の要素に直接固定される構成と、１つの要素を中間部材に付着させて、次に中間部材を他の要素に付着させることにより、その要素が他の要素に間接的に固定される構成とを包含する。
【００３９】
「透水性」及び「不透水性」は、使い捨て吸収性物品が意図されたように使用される場合の、材料の浸透性を指す。具体的には、用語「透水性」とは、層又は層構造体が、押し付け圧力がない状態で、液体の水、尿又は合成尿が層又は層構造体の厚さを通過できるような、孔、開口部及び／又は相互に接続された空隙を有していることを指す。逆に、用語「不透水性」は、層又は層構造体が、（重力などの自然の力の他に）押し付け圧力がない状態では、液体の水、尿又は合成尿が層又は層構造体の厚さを通過できないようなものであることを指す。この定義により不透水性の層又は層状構造体は、水蒸気に対して透過性であってもよい、すなわち、「蒸気透過性」であってもよい。
【００４０】
「弾性」、「エラストマー」又は「エラストマー性」とは弾性特性を示す材料を指し、これには、その弛緩した初期長さに力を加えると、その初期長さの１０％を超えて上回る伸長長さに伸張又は伸長することが可能であり、かつ適用した力が解放された後で、ほぼその初期長さに実質的に回復する任意の材料が含まれる。エラストマー材料としては、エラストマーフィルム、スクリム、不織布、リボン、ストランド及び他のシート状構造体を挙げることができる。
【００４１】
「予歪み」とは、エラストマー積層体又は吸収性物品の別の要素と組み合わせる前に、弾性材料又はエラストマー材料にかかる歪みを指す。予歪みは、次の等式、予歪み＝（（弾性体の伸張長さ−弾性体の弛緩長さ）／弾性体の弛緩長さ）＊１００によって決定される。
【００４２】
Ｄｔｅｘとしても知られる「デシテックス」は、糸又はフィラメントを測定するために使用される織物産業で使用される測定値である。１デシテックス＝１グラム毎１０，０００メートル。換言すれば、糸又はフィラメントが１０，０００リニアメートルの５００グラムの重さである場合、その糸又はフィラメントは５００デシテックスを有することになる。
【００４３】
「基材」は、本明細書において、主に２次元（すなわち、ＸＹ平面）であり、厚さ（Ｚ方向）がその長さ（Ｘ方向）及び幅（Ｙ方向）と比べて比較的小さい（すなわち１／１０以下）材料を説明するために用いられる。基材の非限定的な例としては、ウェブ、繊維性材料の１乃至複数の層、不織布、高分子フィルム若しくは金属箔などのフィルム及び箔が挙げられる。これらの材料は、単独で使用される場合もあり、又は一体に積層された２つ以上の層を含む場合もある。このため、ウェブは、基材である。
【００４４】
本明細書では、「不織布」とは、連続的な（長い）フィラメント（繊維）及び／又は不連続の（短い）フィラメント（繊維）から、例えば、スパンボンド法、メルトブロー法、梳綿などのプロセスによって作製された材料を指す。不織布は、織られた又は編まれたフィラメントパターンを有さない。
【００４５】
本明細書では、「機械方向」（ＭＤ）とは、プロセスを通過する材料の流れの方向を指す。加えて、材料の相対的配置及び動きは、あるプロセスを通過してそのプロセスの上流からそのプロセスの下流に向かう機械方向に流れているものとして述べることができる。
【００４６】
本明細書において、「横断方向」（ＣＤ）は、機械方向に対して概ね垂直な方向を指すために使用される。
【００４７】
「テープ式おむつ」（「開放型おむつ」とも呼ばれる）とは、着用者に適用される前、包装の際に、互いに締結、予締結、又は結合されていない初期前側腰部領域及び初期後部腰部領域を有する使い捨て吸収性物品を指す。テープ式おむつは、腰部領域を共に締結又は接合することなく、一方の腰部領域の内部が対向する腰部領域の内部と表面同士が接触した状態で、横方向中心線の辺りで折り畳まれてもよい。テープ式おむつの例は、米国特許第５，１６７，８９７号、同第５，３６０，４２０号、同第５，５９９，３３５号、同第５，６４３，５８８号、同第５，６７４，２１６号、同第５，７０２，５５１号、同第５，９６８，０２５号、同第６，１０７，５３７号、同第６，１１８，０４１号、同第６，１５３，２０９号、同第６，４１０，１２９号、同第６，４２６，４４４号、同第６，５８６，６５２号、同第６，６２７，７８７号、同第６，６１７，０１６号、同第６，８２５，３９３号、及び同第６，８６１，５７１号、並びに米国特許出願公開第２０１３／００７２８８７（Ａ１）号、同第２０１３／０２１１３５６（Ａ１）号、及び同第２０１３／０３０６２２６（Ａ１）号の、様々な好適な構成で開示されている。
【００４８】
本明細書では、「パンツ」（更に、「トレーニングパンツ」、「予め閉じたおむつ」、「おむつパンツ」、「パンツ型おむつ」及び「プルオンおむつ」とも称する）とは、幼児又は成人の着用者用に設計された、連続的な外辺部腰部開口部及び連続的な外辺部脚部開口部を有する使い捨て吸収性物品を指す。パンツは、物品が着用者に適用される前に、連続した又は閉じた腰部開口部及び少なくとも１つの連続した閉じた脚部開口部を有して構成されてもよい。パンツは、任意の再締結可能な及び／又は恒久的な閉鎖部材（例えば、シーム、熱結合、圧力溶接、接着剤、粘着結合、機械的締結具など）を使用して物品の一部を互いに接合することを含むが、これらに限定されない、種々の技術で予備成形又は予備締結され得る。パンツは、腰部領域において物品の外周部に沿った任意の場所で予備成形され得る（例えば、側部が締結又は継ぎ合わされている、前側腰部が締結又は継ぎ合わされている、後側腰部が締結又は継ぎ合わされている）。様々な構成のおむつパンツの例が、米国特許第４，９４０，４６４号、同第５，０９２，８６１号、同第５，２４６，４３３号、同第５，５６９，２３４号、同第５，８９７，５４５号、同第５，９５７，９０８号、同第６，１２０，４８７号、同第６，１２０，４８９号、同第７，５６９，０３９号、並びに米国特許出願公開第２００３／０２３３０８２（Ａ１）号、同第２００５／０１０７７６４（Ａ１）号、同第２０１２／００６１０１６（Ａ１）号、同第２０１２／００６１０１５（Ａ１）号、同第２０１３／０２５５８６１（Ａ１）号、同第２０１３／０２５５８６２（Ａ１）号、同第２０１３／０２５５８６３（Ａ１）号、同第２０１３／０２５５８６４（Ａ１）号、及び同第２０１３／０２５５８６５（Ａ１）号に開示され、これらの全ては、参照により本明細書に組み込まれている。
【００４９】
「閉鎖形態」とは、連続した腰部開口部及び脚部開口部を形成するために、永久的に又は再締結可能のいずれかで包装された状態で、対向する腰部区域が接合されていることを意味する。
【００５０】
「開放形態」とは、連続した腰部開口部及び脚部開口部を形成するために、対向する腰部領域が最初に接合されていないが、物品の着用者に適用する前又は適用中に、腰部領域を接合して、腰部開口部及び脚部開口部を形成する締結システムなどの閉鎖手段を備えることを意味する。
【００５１】
本明細書で使用するとき、「チャネル」は、その材料層の周囲材料よりも実質的に少ない坪量（例えば、５０％未満、７０％未満、９０％未満）を有する吸収性材料層内の領域又はゾーンである。チャネルは、吸収性材料を実質的に含まない材料層内の領域であってもよい（例えば、９０％が吸収性材料を含まない、９５％が吸収性材料を含まない、又は９９％が吸収性材料を含まない、又は完全に吸収性材料を含まない）。チャネルは、１つ以上の吸収性材料層を通って延在してもよい。チャネルは、一般に、吸収性材料層の周囲領域よりも低い曲げ弾性率を有するので、材料層が、より簡単に屈曲し、かつ／又は吸収性材料層の周囲区域内よりもチャネル内により多くの身体排出物を迅速に分配することができる。このため、チャネルは、チャネルの区域内の材料層における坪量を低減させない、材料層内の単なる窪部ではない。
【００５２】
「腰部幅」は、臍点（臍の中心）で身体の前側で水平に測定された身体の幅として定義される。図１を参照されたい。
【００５３】
「身体長」とは、矢状面内の股部の最大深さによって決定される、臍から股部の最大深さまでの垂直距離を意味する。図１を参照されたい。
【００５４】
「腰部輪郭に対する身体長さ」は、腰部幅（ｍｍ）で割った身体長さ（ｍｍ）を意味する。図１を参照されたい。
【００５５】
「弛緩した製品長さ」とは、股部領域の長手方向最遠位点と前側腰部縁部に沿った長手方向最遠位点との間の長手方向距離を意味する。長手方向距離は、製品の長手方向軸に平行に測定される。図２を参照されたい。
【００５６】
「弛緩した製品腰部幅」は、前側腰部縁部の右側の最遠位点から前側腰部縁部の左側の最遠位点までの横方向距離を意味する。横方向距離は、製品の長手方向軸に垂直に測定される。図２を参照されたい。
【００５７】
「腰部輪郭に対する製品長さ」は、弛緩した製品腰部幅（６０２）（ｍｍ）で割った弛緩した製品長さ（６００）（ｍｍ）を意味する。図２を参照されたい。
【００５８】
腰部輪郭に対する製品長さ
典型的には、吸収性物品１００のパッケージ６１０は、パッケージ化された物品がフィットすることを意図される、推奨される着用者の体重範囲（典型的には乳児、小児、及び幼児用）で及び／又は腰部周囲（典型的には成人用吸収性物品製品用）によって標識される。結果として、体重及び／又は腰部周囲情報は、消費者が必要とする物品の適切なサイズを識別するために、表示部１０００の一部としてパッケージ６１０上に置かれることが最も多い。体重範囲によって推奨される製品の場合、平均対象体重は、最小及び最大推奨体重の平均である。体重範囲によって推奨される製品の場合、対象体重は、最小及び最大推奨体重の平均である。
【００５９】
多くの成人用失禁製品では、腰部推奨のみが提供される。これらの製品の場合、対象体重は、更に最小及び最大推奨腰部における平均体重を計算することによって決定することができる。図１９は、この関係及び計算を示す。
【００６０】
図１７は、腰部輪郭に対する身体長さがどのように体重によって変化するかを示す。新生児では、歩行を開始するまで、より大きな腰部を有する傾向がある。これにより、より大きな腰部輪郭に対する身体長さが得られる。乳児が歩行を開始し、小児期を通り、成人期へと成長するにつれて、彼らの腰部は平均して、身体の長さほど速く成長せず、結果として腰部輪郭に対する身体長さを増加させる。成人期において、及び消費者が年を取るにつれて、彼らの腰部は、対応する身長が増加することなく再び増加し、したがって、腰部輪郭に対する身体長さを減少させる。各発育段階では、腰部輪郭に対する製品長さは、異なる必要があり、異なる身体形状に対応する。
【００６１】
腰部輪郭に対する標的身体長さは、図１７に示されるように、体重の関数として母集団の腰部輪郭に対する身体長さを曲線あてはめすることによって近似することができる。この近似は、以下の通りである。
腰部輪郭に対する標的身体長さ＝ａ＋ｂ＊ｗ＋ｃ／ｗ＋ｄ＊ｗ＾２＋ｅ／ｗ＾２＋ｆ＊ｗ＾３＋ｇ／ｗ＾３
式中：
ｗ＝ｋｇ単位の体重
ａ＝１．４０１９７９Ｅ＋００
ｂ＝−９．０１２６０８Ｅ−０３
ｃ＝−１．０８６６４１Ｅ＋０１
ｄ＝７．３１４５６１Ｅ−０６
ｅ＝５．６７８４０３Ｅ＋０１
ｆ＝６．５８９００２Ｅ−０８
ｇ＝−９．１５２６１３Ｅ＋０１
【００６２】
腰部輪郭に対する製品長さが、腰部輪郭に対する標的身体長さに近いほど、製品がより良好にフィットし、より良好なガスケッチングが得られる。
【００６３】
本開示の吸収性物品
本開示のエラストマー積層体を含む製品は、乳児及び成人用使い捨て吸収性物品を含む使い捨てテープ式及びパンツなどの、尿、経血、及び／又は糞便などの身体排出物を管理するように一般的に設計及び構成された、異なる構造及び／又は形態の吸収性物品１００を含んでもよい。
【００６４】
図に示されるように、本開示の吸収性物品１００は、トップシート１２４、バックシート１２５、及びトップシート１２４とバックシート１２５との間に少なくとも部分的に配置される吸収性コア１２８を備えるシャーシ２００を備えてもよい。シャーシ２００は、内側レッグカフ１５０及び外側レッグカフ１４０（一般的に５２と称されるカフ）を更に備えてもよい。
【００６５】
吸収性物品１００の一方の端部は前側腰部領域３６として構成されることができ、長手方向に対向する端部は後側腰部領域３８として構成されることができる。前側腰部領域３６と後側腰部領域３８との間で長手方向に延びる吸収性物品１００の中間部分は、股部領域３７として構成され得る。前側腰部領域３６、後側腰部領域３８、及び股部領域３７各々の長さは、例えば、吸収性物品１００の長さの約１／３であってもよい（例えば、図９及び図１０参照）。あるいは、前側腰部領域３６、後側腰部領域３８、及び股部領域３７各々の長さは、他の寸法を有してもよい（例えば、ベルト又は耳パネル又はサイドパネルの寸法によって定められる−例えば、図３Ｂ、図４、及び図７参照）。吸収性物品１００は、前側腰部領域３６において横方向に延びる前側腰部端縁部１３６、及び長手方向に対向しかつ後側腰部領域３８において横方向に延びる後側腰部端縁部１３８を有し得る。
【００６６】
吸収性物品１００のシャーシ２００は、第１の長手方向に延在する側縁部２３７ａと、横方向に対向しかつ第２の長手方向に延在する側縁部２３７ｂと、を含み得る。側縁部２３７は両方とも、前側腰部端縁部１３６と後側腰部端縁部１３８との間で長手方向に延在し得る。シャーシ２００は、前側腰部領域３６内で横方向に延びる前側腰部端縁部１３６の一部と、長手方向に対向しかつ後側腰部領域３８内で横方向に延びる後側腰部端縁部１３８の一部と、を形成し得る。更に、シャーシ２００は、シャーシ内面２０２（着用者に面する表面４の少なくとも一部分を形成する）、シャーシ外面２０４（衣類に面する表面２の少なくとも一部分を形成する）、長手方向軸４２、及び横方向軸４４を備えてもよい。長手方向軸４２は、前側腰部端縁部１３６の中点を通り、かつ後側腰部端縁部１３８の中点を通って延び得、一方で横方向軸４４は、第１側縁部２３７ａの中点を通り、かつ第２側縁部２３７ｂの中点を通って延び得る。
【００６７】
図７を参照すると、ベルト付き吸収性物品にしばしば当てはまるが、シャーシ２００は、吸収性物品１００の長さよりも短い長手方向軸４２に沿って測定された長さを有してもよい。シャーシ２００の縁部２３７は両方とも、前側腰部端縁部１３６及び後側腰部端縁部１３８の一方又は両方に長手方向に延在しない場合がある。シャーシ２００は、前側腰部領域３６内で横方向に延びる前側腰部端縁部１３６、及び長手方向に対向しかつ後側腰部領域３８内で横方向に延びる後側腰部端縁部１３８の一方又は両方の一部を形成しない場合がある。
【００６８】
図７Ｂを参照すると、シャーシ２００は、バックシート不織布１２７とバックシートフィルム１２６との間で長手方向軸４２と平行に配向された弾性体３１６を含み得る。図７Ｃは、図７Ｂとは異なる代替的な実施形態を示し、シャーシ２００は、コアラップ７４とバックシート１２５との間で長手方向軸４２と平行に配向された弾性体３１６を有する。更に、図７Ｄは、シャーシ２００が、バックシートフィルム１２６とバックシート不織布１２７との間で横方向軸４４と平行に配向された弾性体３１６を含む別の代替的実施形態を示す。図７Ｂはまた、第１のトップシート層１２４ａと第２のトップシート層１２４ｂとの間で長手方向軸４２と平行に配向された弾性体３１６を示しているが、図７Ｃは、弾性体３１６がトップシート１２４とコアラップ７４との間にある代替的な実施形態を示す。更に、図７Ｄは、トップシート１２４とコアラップ７４との間で横方向軸４４と平行に配向された弾性体３１６を示す。
【００６９】
なお、伸縮性シャーシ２００について、図１２Ａ、図１２Ｂ、及び図１２Ｃは、弾性体３１６が羽根１２０の層の間に配置されている伸縮性シャーシ２００を示す。図１２は、長手方向軸４２及び横方向軸４４に対して約４５度に配向された弾性体３１６を示す。図１２Ａは、長手方向軸４２と平行に配向された羽根弾性体３１６を示す、図１２の代替的な実施形態である。図１２Ｂは、両方とも長手方向軸４２と平行に配向された、羽根１２０内の弾性体３１６の２つの層を示しており、弾性体３１６の下位層は、グループ間の間隙で離間され、不織布羽根層１２１によって分離されている。図１２Ｃは、図１２Ｂの代替的な実施形態であり、弾性体の１つの層のみが存在し、不織布羽根層１２１は存在しない。図１２Ｃはまた、トップシート１２４と二次トップシート１２４’との間で長手方向軸４２と平行に配向された弾性体３１６（代替的に、横方向軸４４（図示なし）と平行に配向されてもよい）、及びバックシートフィルム１２６とバックシート不織布１２７との間で長手方向軸４２と平行に配向された弾性体３１６（代替的に、横方向軸４４（図示なし）と平行に配向されてもよい）を示す。
【００７０】
吸収性物品１００の一部又は全体が、横方向に弾性的に延伸性であるように作られてもよい。吸収性物品１００の延伸性は、着用者の運動中に、吸収性物品１００が着用者の身体にぴったりと一致することを可能にするために、望ましくあり得る。延伸性はまた、例えば、介護者が前側腰部領域３６、後側腰部領域３８、股部領域３７、及び／又はシャーシ２００を延ばすことを可能にして、異なる大きさの着用者に追加的な身体適用範囲を提供するため、すなわち、吸収性物品１００のフィットを個々の着用者に合わせるために、かつ適用しやすさを助ける（aide）ために、望ましくあり得る。このような延伸は、股部領域３７が腰部領域３６及び／又は３８よりも比較的低い度合いで延伸される限りにおいて、ほぼ砂時計型の形状を有する吸収性物品１００を提供し得る。この延伸はまた、使用中に吸収性物品１００にあつらえた外観を付与し得る。
【００７１】
シャーシ２００は、実質的に矩形であってもよく、前側腰部領域３６及び後側腰部領域３８の一方又は両方において、シャーシ側縁部２３７で又はそれに隣接してシャーシ２００に接合された、別個のサイドパネル３３０（図３Ｂ）、延伸性耳パネル５３０（図９）、及び／又は非延伸性耳パネル５４０（図９）を有してもよい。シャーシ側縁部２３７、シャーシ前端縁部２３６、及びシャーシ後端縁部２３８のうちの１つ以上の部分は、図１１、図１１Ａ、及び図１０に示されるように、凸状又は凹状のいずれかで弓状又は湾曲していてもよい。シャーシ２００は、一体式サイドパネル３３０（図４参照）、一体式延伸性耳パネル（図１０参照）、一体式ベルト４３０（図８参照）、又は前側及び後側腰部領域の一方若しくは両方に配置された外側カバー不織布、バックシートフィルム、外側レッグカフ材料、トップシート若しくはコアラップ７４のうちの１つ以上によって形成された一体式非延伸性耳パネル５４０（図９）を含んでもよい。あるいは、シャーシ２００は、別個のサイドパネル３３０（図３Ｂ参照）、別個の延伸性耳パネル５３０（図９、図９Ａ、及び図１０）、又は別個のベルト４３０（図５〜図７Ｄ）を含んでもよい。シャーシは、形成されてもよいか、又は１つの腰部領域において非矩形、かつ対向する腰部領域において実質的に矩形であってもよい。あるいは、シャーシは、腰部領域の一方又は両方において実質的に矩形、かつ股部領域において非矩形であってもよい。
【００７２】
本開示の吸収性物品は、弾性体が第１腰部領域、股部領域、及び対向する第２腰部領域内に存在する、複数の横方向に延在する弾性体を含んでもよい。
【００７３】
閉鎖形態のパンツ物品
閉鎖形態のパンツタイプの吸収性物品は、概して図３〜図８に開示されており、腰部開口部１９０及び２つの脚部開口部１９２を有する閉鎖形態でパッケージ化されるように設計され、一着の耐久性のある下着のように着用者に着用されるように設計されている。パンツは、前側腰部領域３６及び後側腰部領域３８の一方又は両方に、別個のエラストマーサイドパネル３３０（図３Ｂ）及び／又は別個のベルト４３０（図７）を含んでもよい。あるいは、サイドパネル３３０及び／又はベルト４３０は、シャーシ２００（図４及び図８）などの品の他の要素と一体に形成されてもよい。
【００７４】
吸収性物品が前側及び後側ベルト４３０を含むとき、前側及び後側ベルト４３０の側部は、互いに恒久的に又は再締結可能に接合されてもよく、物品の片側の前側及び後側サイドパネルは、互いに恒久的に又は再締結可能に接合されて、腰部開口部１９０及び一対の脚部開口部１９２を形成してもよい（図５、図５Ａ、及び図６）。ベルト４３０は、エラストマーサイドパネルがパンツの側部を拡張及び収縮させるので、まず物品１００を着用者にぴったりとフィットさせ、パンツが浸出物で充填されてからかなり後の着用期間中もそのフィットを維持することによって、より快適で体形に合ったフィットをもたらす弾性的に延伸性のある機能を提供する。更に、エラストマーベルト４３０は、特にビームされたエラストマー積層体がベルト４３０を形成するために使用されるときに、適用の容易さをもたらし、着用者に物品１００を維持し、フィット性を向上させるための着用力及び張力を開発及び維持する。エラストマーサイドパネルは、着用者の臀部の上でパンツをぴったりと引っ張って、ベルト４３０が身体に適合し、着用者上の物品の位置を維持するのに十分な張力を提供することを可能にする、適用の容易さを可能にする。ベルト４３０によって生じる張力は、腰部開口部１９０に沿って、かつ脚部開口部１９２の少なくとも一部に沿って弾性ベルト４３０から伝達される。典型的には、特に別個のサイドパネル３３０に関して、シャーシ２００は、サイドパネル３３０の間に配置され、サイドパネル３３０を含むパンツの腰部縁部１３６及び／又は１３８の一部分を形成するように延在する。換言すれば、前側腰部領域３６及び後側腰部領域３８の一方又は両方における腰部縁部１３６及び／又は１３８の一部分は、サイドパネル３３０によって部分的に、及びシャーシ２００によって部分的に形成されてもよい。
【００７５】
サイドパネル３３０を含むパンツはまた、図３及び図３Ａに示されるように、一対の横方向に対向する再締結可能なシーム１７４を含んでもよい。再締結可能なサイドシーム１７４は、物品の一部分の内面、例えばサイドパネル３３０を、物品１００の別の部分の外面、例えば、長手方向に対向するサイドパネル３３０又はシャーシ２００に再締結可能に接合して再締結可能なサイドシーム１７４を形成することによって形成され得る。図３Ａは、着用者から離れる方を向くフックを含む締結具１７５（前側サイドパネル３３０ｆの外面上に配置された締結具１７５）を含む前側パネル３３０ｆを示し、締結具１７５は、嵌合締結具１７８（図３Ａのループ又は好適な不織布）に再締結可能に結合し、嵌合締結具１７８は後側パネル３３０ｂの内面上に配置されている。図３及び図３Ｂのパンツは、嵌合締結具１７８を含まず、むしろ図３及び図３Ｂの締結具１７５は後側サイドパネル３３０に直接再締結可能に接合するので、その図３Ａが図３及び図３Ｂの代替的な実施形態であることを観察されたい。
【００７６】
ベルト４３０を含むパンツは、例えば、図５、図５Ａ、及び図６に示されるように、第１の恒久的サイドシーム１７２及び横方向に対向する第２の恒久的サイドシーム１７２を含んでもよい。恒久的サイドシーム１７２は、物品１００の一部分の内面、例えばベルト４３０を、物品１００の別の部分の外面、例えば、長手方向に対向するベルト４３０又はシャーシ２００に接合して恒久的サイドシーム１７２を形成することによって形成され得る。あるいは、恒久的サイドシーム１７２は、物品１００の一部分の内面、例えばベルト４３０を、物品１００の別の部分の内面、例えば、長手方向に対向するベルト４３０に接合して恒久的サイドシーム１７２を形成することによって形成され得る。上述のサイドパネル３３０の構成を含む任意のパンツは、ウエストバンド１２２を含んでもよく、ウエストバンド１２２の少なくとも一部（図３Ｂに示されるように）が腰部縁部１３６及び／若しくは１３８において又はすぐ隣接して配置され、中央シャーシ２００の一部分と重なり合う。ウエストバンド１２２は、内側レッグカフ１５０の部分及び／又はエラストマーサイドパネル３３０の部分と重なり合うように横方向に延在してもよい。ウエストバンド１２２は、シャーシ２００の内面２０２上に、あるいはトップシート１２４とバックシート１２５との間に配置されてもよい。
【００７７】
特に、図７Ｅに例示されるようにベルト４３０に関して、第１及び第２のエラストマーベルト４３０の内側ベルト層４３２及び／又は外側ベルト層４３４は、図７Ｅに示されるように、共通ベルト層によって形成されてもよい。第１及び第２のエラストマーベルト４３０が共通ベルト層を有するとき、共通ベルト層は、第１の腰部領域内の第１の腰部縁部から第２の腰部領域内の長手方向に対向する第２の腰部縁部まで、すなわち前側腰部縁部１３６から後側腰部縁部１３８まで延在してもよい。
【００７８】
また特に図７及び図７Ａに示されるようにベルト付きパンツ４００について、ベルトパンツ４００は、第１の長手方向長さを有する第１の腰部領域内に配置された第１のエラストマーベルト４３０及び第２の長手方向長さを有する第２の腰部領域内に配置された第２のエラストマーベルト４３０を有してもよく、第１のベルトの長手方向長さは、サイドシームにおいて、又はこれに隣接してベルトの側縁部に沿って第２のベルトの長手方向長さよりも長い。この長さの差は、パンツの後側に臀部適用範囲を提供し、より下着のような外観を提供するのに役立つ。また、この利点はベルト付きパンツ４００について開示されているが、後側腰部領域３８内に長手方向により長いサイドパネル３３０を有するという利点もある。
【００７９】
開放形態のテープ式物品
開放形態のテープ式タイプの吸収性物品は、概して図９〜図１０に開示されている。テープ式おむつ５００、図９及び図１０に示されるように開放形態の物品は、前側腰部領域３６及び後側腰部領域３８の一方又は両方にエラストマー耳パネル５３０を含んでもよい。エラストマー耳パネル５３０は、物品１００の他の要素と構造的に一体であってもよく、又は物品１００の別の要素に接合された別個の要素として構造的に一体であってもよい。エラストマー耳パネル５３０は、エラストマー耳パネル５３０がおむつを拡張及び収縮させて着用者にフィットさせるので。まず物品１００を着用者にぴったりとフィットさせ、テープ式おむつ５００が浸出物で充填されてからかなり後の着用期間中もそのフィットを維持することによって、より快適で体形に合ったフィットをもたらす弾性的に延伸性のある機能を提供する。更に、エラストマー耳パネル５３０は、着用力（張力）を展開し、維持し、締結システム１７９（嵌合締結具１７８（例えば、ループ）と解放可能に係合され得る締結具１７５（例えば、フック）を含む）によって展開され維持された張力を強化して、着用者上に物品１００を維持しフィット性を向上させる。エラストマー耳パネル５３０は、特に、締結システム１７９によって形成される張力の一次線（primary line）を維持するのを補助し、動的運動が存在する着用者の臀部におむつがぴったり合うようにフィットすることを可能にし、また、おむつをあてる人（diaperer）は、一般に着用者にテープ式おむつ５００を適用する際にエラストマー耳パネル５３０を引き延ばすので、腰部開口部１９０及び脚部開口部１９２に最初に予張力を与え、その結果、エラストマー耳パネル５３０が収縮するとき、エラストマー耳パネル５３０から腰部開口部１９０に沿って、かつ脚部開口部１９２の少なくとも一部に沿って張力が伝達される。本開示の開放形態の物品は、後側腰部領域３８内に配置されたエラストマー耳パネル５３０を有してもよいが、あるいは、テープ式おむつ５００に、前側腰部領域３６内に又は前側腰部領域３６及び後側腰部領域３８の両方に配置されたエラストマー耳パネル５３０が設けられてもよい。開放形態の物品はまた、第１の腰部領域内に配置されたエラストマー耳パネル５３０、及び第２の腰部領域内に配置されたエラストマー耳パネル５３０又は非エラストマー耳パネル５４０を有してもよい。
【００８０】
代替的な実施形態において、開放形態のテープ式タイプの吸収性物品は、腰部領域のうちの１つに配置されたエラストマーベルト４３０を含んでもよい。エラストマーベルト４３０は、特定の場所又は位置に接合及び／又は位置付けされてもよく、物品１００の他の要素と構造的に一体であってもよく、又は物品１００の別の要素に接合された別個の要素として構造的に一体であってもよい。ベルト付きテープ式おむつのエラストマーベルト４３０は、後側腰部領域３８内に配置されてもよい。エラストマーベルト４３０は、ベルトの横方向に対向する端部に、又はそれに隣接して配置された締結具を有してもよい。締結具１７５は、ベルト４３０の内面上に配置されて、別個の嵌合締結構成要素１７８と係合するか、又は物品の外側表面２０４（バックシート不織布１２７のような）と係合して、物品を着用者上で締結することができる。
【００８１】
外側カバー材料
バックシート１２５は、バックシートフィルム１２６及びバックシート不織布１２７を含んでもよい。バックシート不織布１２７はまた、外側カバー材料とも呼ばれ得る。外側カバー材料は、吸収性物品１００の衣類に面する表面の少なくとも一部を形成し、フィルムが衣類に面する表面上に存在しないようにバックシートフィルム１２６を効果的に「被覆する」。外側カバー材料は、結合パターン、孔、及び／又は３次元特徴部を含んでもよい。
【００８２】
吸収性コア
本明細書で使用するとき、用語「吸収性コア」１２８は、最大の吸収能力を有して、吸収性材料を備える、吸収性物品１００の構成要素を指す。図７、図７Ｂ、及び図７Ｃを参照すると、場合によっては、吸収性材料（例えば、５１及び５３）は、コアバッグ又はコアラップ７４内に位置付けられてもよい。吸収性材料は、特定の吸収性物品に応じて、輪郭付けされてもよく、又は輪郭付けされなくてもよい。吸収性コア１２８は、コアラップと、吸収性材料と、コアラップ内に封入される糊剤とを含むか、本質的にこれらで構成されるか、又はこれらで構成され得る。吸収性材料は、超吸収性ポリマー、超吸収性ポリマーとエアフェルトとの混合物、エアフェルトのみ、及び／又は発泡体を含み得る。場合によっては、吸収性材料は、吸収性材料の少なくとも８０重量％、少なくとも８５重量％、少なくとも９０重量％、少なくとも９５重量％、少なくとも９９重量％、又は最大１００重量％の超吸収性ポリマーを含むことができる。そのような場合では、吸収性材料はエアフェルトを含まなくてもよく、又は少なくともほとんどエアフェルトを含まなくてもよい。このような場合、ＡＧＭ５１は、熱可塑性接着剤などの接着剤５４によって定位置に保持されてもよい。また、水泳用おむつでは、物品は超吸収性ポリマーを含まなくてもよい。コアラップの周辺部であり得る吸収性コアの周辺部は、例えば、矩形、「Ｔ」字形、「Ｙ」字形、「砂時計」形、又は「ドッグボーン」形など、任意の好適な形状を画定してもよい。概ね「ドッグボーン」形又は「砂時計」形を有する吸収性コアの周辺部は、その幅に沿って吸収性物品１００の股部領域３７に向かって先細になっていてもよい。
【００８３】
図７、図７Ｂ、及び図７Ｃを参照すると、吸収性コア１２８は、吸収性材料をほとんど又は全く有しない領域を有してもよく、コアバッグ７４の着用者に面する表面は、コアバッグ７４の衣類に面する表面に接合されてもよい。吸収性材料をほとんど又は全く有しないこれらの領域は、「チャネル」１２９と称され得る。これらのチャネルは、任意の好適な形状を具現化することができ、任意の好適な数のチャネルを提供することができる。他の例では、吸収性コアは、チャネルの印象を作り出すためにエンボス加工されてもよい。図７、図７Ｂ、及び図７Ｃの吸収性コアは、単に例示的な吸収性コアである。チャネルを含む又は含まないその他の多くの吸収性コアはまた、本開示の範囲に含まれる。
【００８４】
本明細書で使用するとき、充填された吸収性コアは、おむつ、パンツ、及び成人用失禁物品のための少なくとも５０、１００、又は２００ミリリットル（ｍＬ）の荷重を保持する（又は保持することができる）ものである。吸収性コアを含む本開示の使い捨て吸収性物品は、着用者と空の吸収性コア（すなわち、充填されていないもの）をフィットさせるように設計され、並びに、コアが充填されたときでも、かなりの時間（２時間以上）着用者にフィットさせることができる。
【００８５】
捕捉材料
１つ以上の捕捉材料（例えば、１３０）は、トップシート１２４と、吸収性コア１２８の間に少なくとも部分的に存在し得る。捕捉材料は、典型的には、排泄物の多大な吸い上げを提供する親水性材料である。これらの材料は、トップシート１２４を脱水し、排泄物を吸収性コア１２８内に迅速に移動させることができる。捕捉材料１３０は、例えば、１つ以上の不織布材料、発泡体、セルロース材料、架橋セルロース材料、エアレイドセルロース不織布材料、スパンレース材料、又はこれらの組み合わせを含んでもよい。場合によっては、捕捉材料の部分は、トップシート１２４の部分を通って延在してもよく、トップシート１２４の部分は、捕捉材料の部分を通って延在してもよく、かつ／又はトップシート１２４は、捕捉材料と入れ子になっていてもよい。典型的には、捕捉材料又は層は、トップシート１２４の幅及び長さよりも小さい幅及び長さを有してもよい。捕捉材料は、婦人用パッドの文脈において、二次トップシートであってもよい。捕捉材料は、吸収性コア１２８のセクション（エンボス版を含む）に記載される１つ以上のチャネルを有してもよい。捕捉材料内のチャネルは、吸収性コア１２８内のチャネルと整列するか、整列していなくてもよい。一例では、第１捕捉材料は不織布材料を含んでもよく、第２（as second）捕捉材料は架橋セルロース材料を含んでもよい。
【００８６】
ランディングゾーン
図９Ａを参照すると、吸収性物品１００は、外側カバー材料の衣類に面する表面２の一部に形成されるランディングゾーン領域４５を有してもよい。ランディングゾーン領域４５は、吸収性物品１００が前側から後側に締結する場合、後側腰部領域３８内にあってもよいか、又は吸収性物品１００が後側から前側に締結する場合、前側腰部領域３６内にあってもよい。場合によっては、ランディングゾーン４５は、吸収性物品が前側又は後側で締結するかどうかに応じて、前側腰部領域３６若しくは後側腰部領域３８の外側カバー材料の一部に取り付けられる１つ以上の別個の不織布材料であってもよいか、又はそれを含んでもよい。本質的に、ランディングゾーン４５は、締結具１７５を受容するように構成され、例えば、締結具１７５上の複数のフックと係合されるように構成された複数のループを含んでもよいか、又は逆もまた同様である。
【００８７】
湿り度インジケータ／図形
本開示の吸収性物品１００は、衣類に面する表面２から可視である図形（例えば、シャーシ図形２９９、サイドパネル図形３９９、ベルト図形４９９、又は耳パネル図形５９９）及び／又は湿り度インジケータ８０を含んでもよい。図形は、ランディングゾーン４５、バックシート１２５、トップシート１２４、ベルト４３０、サイドパネル３３０、耳パネル５３０及び／又は他の位置に印刷されてもよい。湿り度インジケータは、典型的には、吸収性コア１２８内の排泄物と接触することができるように、バックシートフィルム１２６の吸収性コアに面する側に適用される。場合によっては、湿り度インジケータは、図形例えば、２９９の部分を形成してもよい。例えば、湿り度インジケータは、一部の図形内に現れるか又は消失し、文字を生成／除去してもよい。他の例では、湿り度インジケータ８０は、図形に合わせてもよいか（例えば、同じデザイン、同じパターン、同じ色）、又は合わせなくてもよい。あるいは、図形及び／又は湿り度インジケータ８０は、着用者に面する表面２０４上に配置されてもよく、かつ／又は着用者に面する表面２０４から可視であってもよい。
【００８８】
サイド／耳パネル３３０、５３０のうちの１つ以上は、上に配置された図形を含んでもよい。エラストマーサイド／耳パネル３３０、５３０のうちの１つ以上は、シャーシ図形２９９に実質的に整列された図形（例えば、３９９、５９９）を含んで複合図形要素を形成する。更に、前側及び後側ベルト４３０ｆ及び４３０ｂは、図形を含んでもよい。図形は、吸収性物品１００の全周の周りに実質的に延在してもよく、サイドシーム１７２にわたって、かつ／又は近位前側及び後側ベルト縁部１５を横切って配置されるか（図５参照）、又はあるいは、米国特許第９，４９８，３８９号に記載の方法でシームに隣接して、より下着のような物品を作製してもよい。図形はまた、不連続であってもよい。
【００８９】
トップシート
本開示の吸収性物品１００は、トップシート１２４を含んでもよい。トップシート１２４は、着用者の皮膚に接する吸収性物品１００の部分である。トップシート１２４は、当業者に既知のように、バックシート１２５、吸収性コア１２８、レッグカフ５２、及び／又は他の任意の層の部分に接合することができる。トップシート１２４は、着用者の皮膚に対して順応性があり、柔軟な感触であり、非刺激性であってよい。更に、トップシートの少なくとも一部又はその全部は液体透過性であって、その厚さを通して液体排泄物を容易に浸透させることができる。好適なトップシートは、例えば、多孔質発泡体、網目状発泡体、有孔プラスチックフィルム、織布材料、不織布材料、天然繊維（例えば、木材繊維又は綿繊維）、合成繊維若しくはフィラメント（例えば、ポリエステル繊維、若しくはポリプロピレン繊維、若しくは二成分ＰＥ／ＰＰ繊維、又はこれらの混合物）、若しくは天然繊維と合成繊維との組み合わせの、織布又は不織布材料などの幅広い範囲の材料から製造することができる。トップシートは、１つ以上の層を有してもよい。トップシートは、有孔であってもよく、任意の好適な３次元特徴部を有してよく、及び／又は複数のエンボスを有してもよい（例えば、ボンドパターン）。トップシートは、材料をオーバーボンドし、次いで、１９９７年５月１３日に発行された米国特許第５，６２８，０９７号（Ｂｅｎｓｏｎ  ｅｔ  ａｌ．）に開示され、米国特許出願公開第２０１６／０１３６０１４号（Ａｒｏｒａ  ｅｔ  ａｌ．）に開示されるように、リングロールを通してオーバーボンドを破断させることによって有孔であってもよい。トップシートの任意の部分は、スキンケア組成物、抗菌剤、界面活性剤、及び／又は他の有益な薬剤でコーティングされてもよい。トップシートは、親水性若しくは疎水性であってもよく、又は親水性部分及び／若しくは疎水性部分又は親水性層及び／若しくは疎水性層を有していてもよい。トップシートが疎水性である場合、典型的には、排泄物がトップシートを通過し得るように孔が存在する。
【００９０】
バックシート
本開示の吸収性物品１００は、バックシート１２５を含んでもよい。バックシート１２５は、一般に、吸収性コア１２８の衣類に面する表面に近接して位置付けられた吸収性物品１００の部分である。バックシート１２５は、当業者に既知の任意の取り付け方法によって、トップシート１２４、バックシート不織布１２７、吸収性コア１２８の部分、及び／又は吸収性物品の任意の他の層に接合することができる。バックシートフィルム１２６は、吸収性コア１２８に吸収及び収容された排泄物がベッドシーツ、下着、及び／又は衣類などの物品を汚すことを防止する、又は少なくとも阻止する。バックシートは、典型的には液体不透過性、又は少なくとも実質的に液体不透過性である。バックシートは、例えば、約０．０１２ｍｍ〜約０．０５１ｍｍの厚さを有する熱可塑性フィルムのような薄いプラスチックフィルムであってもよく、これを含んでもよい。他の好適なバックシート材料は、依然として排泄物がバックシートを通過することを防止する、又は少なくとも阻止しながら、吸収性物品から蒸気を逃がすことを可能にする通気性材料を含むことができる。
【００９１】
レッグカフ
本開示の吸収性物品１００は、レッグカフ５２を含んでもよく、レッグカフ５２は、内側レッグカフ１５０及び外側レッグカフ１４０を含む。内側レッグカフ１５０は、外側レッグカフ１４０の横方向内側に位置付けられてもよい。レッグカフ５２のそれぞれは、吸収性物品１００に接着される１片の材料によって形成され得るため、吸収性物品１００の着用者に面する表面から上方向に延在することができ、また、着用者の胴体及び脚部の接合部付近で排泄物の改善された封じ込めをもたらすことができる。内側レッグカフ１５０は、トップシート及び／又はバックシートに直接又は間接的に接合された（又はトップシート及び／又はバックシートにより形成された）縁部と、着用者の皮膚に接触して着用者の皮膚との封止を形成することを意図する自由端縁とによって境界が定められる。内側レッグカフ１５０は、シャーシの両側で吸収性物品１００の前端縁部１３６と後端縁部１３８との間に長手方向に少なくとも部分的に（又は完全に）延びてもよく、少なくとも股部領域３７内に存在してもよい。内側レッグカフ１５０はそれぞれ、自由端縁付近又は自由端縁に１つ以上の弾性体３１６（例えば、弾性ストランド又はストリップ）を含んでもよい。これらの弾性体３１６は、内側レッグカフ１５０に、着用者の脚部及び胴体の周囲に封止を形成するのに役立つ。外側レッグカフ１４０は、前端縁部１３６と後端縁部１３８との間に少なくとも部分的に延在する。外側レッグカフ１４０は、シャーシ側縁部２３７ａ及び２３７ｂに近接する吸収性物品１００の部分を、着用者の脚部の周囲に封止を形成するのに役立つ。外側レッグカフ１４０は、少なくとも股部領域３７内に延在してもよい。
【００９２】
ウエストバンド／ウエストキャップ
本開示の吸収性物品１００は、１つ以上の弾性ウエストバンド１２２を含んでもよい。弾性ウエストバンド１２２は、衣類に面する表面又は着用者に面する表面上に位置付けられてもよいか、又はそれらの間に形成されてもよい。一例として、第１の弾性ウエストバンド１２２は、前側腰部縁部１３６付近の前側腰部領域３６内に存在してもよく、第２の弾性ウエストバンド１２２は、後側腰部縁部１３８付近の後側腰部領域３８内に存在してもよい。弾性ウエストバンド１２２は、着用者の腰部の周囲で吸収性物品１００を封止し、少なくとも排泄物が腰部開口部周辺部を通って吸収性物品１００から漏れ出るのを妨げることを助け得る。場合によっては、弾性ウエストバンドは、吸収性物品１００の腰部開口部１９０を完全に取り囲むことができる。ウエストキャップ１２３は、ウエストバンド１２２の延長によって形成されてもよく、ウエストキャップ１２３の中央部分の下層構造に取り付けられていないままであって、トップシート１２４に沿って流れる身体排泄物が、トップシート１２４とウエストキャップ１２３の下面との間に捕捉されることを可能にし得る。換言すれば、ウエストキャップ１２３は、ウエストキャップ１２３の長手方向遠位縁部に沿って、かつ／又はウエストキャップ１２３の横方向に対向する側縁部に沿って、下層構造、例えば、吸収性物品１００の中央シャーシ２００に接合されてもよい。
【００９３】
ベルト
上記の開放形態のテープ式物品及び閉鎖形態のパンツ物品のセクションでベルトについて開示されたものを越えて、前側及び後側ベルト４３０ｆ及び４３０ｂは、その間に少なくとも部分的に配置されるエラストマー材料（例えば、ストランド３１６又はフィルム（有孔であり得る））を有する前側及び後側内側ベルト層４３２並びに前側及び後側外側ベルト層４３４を含んでもよい。弾性体３１６又はフィルムは、吸収性コア１２８上の弾性歪みを低減するために弛緩（切断されることを含む）してもよく、又はあるいは、吸収性コア１２８にわたって連続的に延びてもよい。弾性体３１６は、ベルトの任意の部分において、それらの間に均一又は可変の間隔を有してもよい。弾性体３１６をまた、同じ量又は異なる量で予め歪ませてもよい。前側及び／又は後側ベルト４３０ｆ及び４３０ｂは、シャーシ２００がベルト４３０ｆ及び４３０ｂに重なり合う１つ以上の弾性自由ゾーンを有してもよい。他の例では、弾性体３１６の少なくとも一部は、シャーシ２００を横切って連続的に延在してもよい。
【００９４】
前側及び後側内側ベルト層４３２並びに前側及び後側外側ベルト層４３４は、接着剤、熱接着、圧着、超音波、又は熱可塑性接着を使用して接合されてもよい。様々な好適なベルト層構成は、米国特許公開第２０１３／０２１１３６３号に見出すことができる。
【００９５】
前側及び後側ベルト端縁部４３８ｆ及び４３８ｂは、前側及び後側シャーシ端縁部２３６及び２３８を越えて長手方向に延在してもよく、又はそれらは同一末端であってもよい。前側及び後側ベルト側縁部４３７は、シャーシ側縁部２３７ａ及び２３７ｂを越えて横方向に延在してもよい。前側及び後側ベルト４３０ｆ及び４３０ｂは、連続的であってもよい（すなわち、ベルト端縁部４３８ｆから反対側のベルト端縁部４３８ｂまで連続的である（図７Ｅの４３４参照）少なくとも１つの層を有する）。あるいは、前側及び後側ベルト４３０ｆ及び４３０ｂは、区別可能であるように、ベルト端縁部４３８ｆから反対側のベルト端縁部４３８ｂまで不連続であってもよい（図７Ｄの４３２及び４３４参照）。
【００９６】
米国特許第７，９０１，３９３号に開示されるように、後側ベルト４３０ｂの（中央長手方向軸４２に沿った）長手方向長さは、前側ベルト４３０ｆの長手方向長さより長くてもよく、このことは、後側ベルト４３０ｂがサイドシーム１７２に隣接する又はすぐ隣接する前側ベルト４３０ｆに対して、より大きな長手方向長さを有するときに、増加した臀部適用範囲に特に有用であり得る。あるいは、より長い後側ベルトの底部角は、斜線又は曲線でトリミングされてもよい。
【００９７】
前側及び後側ベルト４３０ｆ及び４３０ｂは、通気性、柔軟性、及び肌着のような質感を提供するスリット、穴、及び／又は穿孔を含んでもよい。下着様外観は、サイドシーム１７２において腰部縁部及び脚縁部を実質的に整列させることによって向上させることができる。
【００９８】
吸収性物品包装及びパッケージ表示部
本開示の吸収性物品１００は、パッケージ６１０（吸収性物品１００を見ることができるように点線として図２４に示される）内に配置されてもよい。パッケージは、高分子フィルム及び／又は他の材料を含んでよい。吸収性物品の特性に関する図形及び／又は表示部１０００は、パッケージの外側部分に形成され、印刷され、位置付けられ、及び／又は配置されてよい。それぞれのパッケージは、複数の吸収性物品１００を含んでよい。吸収性物品１００は、１パッケージ当たり妥当な量の吸収性物品を依然として提供しながら、パッケージのサイズを低減するように圧縮下で包装されてもよい。吸収性物品を圧縮下で包装することによって、介護者は、パッケージ６１０を容易に扱い、保管することができると共に、パッケージのサイズによる流通コストの削減を製造業者にもたらすことができる。したがって、本開示の吸収性物品１００のパッケージ６１０は、ＡＢＳＯＲＢＥＮＴ  ＰＲＯＤＵＣＴＳ  ＨＡＶＩＮＧ  ＩＭＰＲＯＶＥＤ  ＰＡＣＫＡＧＩＮＧ  ＥＦＦＩＣＩＥＮＣＹと題する米国特許出願公開第２０１４／００５２０８８号（Ｗｅｉｓｍａｎ）に開示されるようにバッグ内スタック高さを有してもよい。
【００９９】
望ましくは、パッケージ６１０は、平行な側部と、パッケージ底部に平行なパッケージ頂部とを有し、消費者が購入するための小売店において、保管又は陳列用に棚上に積み重ねるための理想的なパッケージを作製する。典型的には、吸収性物品１００のパッケージ６１０は、パッケージ化された物品がフィットすることを意図される、推奨される着用者の体重範囲（典型的には乳児、小児、及び幼児用）で及び／又は腰部周囲（典型的には成人用吸収性物品製品用）によって標識される。結果として、体重及び／又は腰部周囲情報は、消費者が必要とする物品の適切なサイズを識別するために、表示部１０００の一部としてパッケージ６１０上に置かれることが最も多い。
【０１００】
更に、表示部１０００は、物品を着用する着用者を示してもよく、かつ／又は別個の表示部が物品構成要素又は特徴を示してもよい。乳児用の吸収性物品に関して、好適な成長段階の表示部の説明及び吸収性物品を有するパッケージの陳列方法は、「ＭＥＲＣＨＡＮＤＩＳＥ  ＤＩＳＰＬＡＹ  ＳＹＳＴＥＭ  ＦＯＲ  ＩＤＥＮＴＩＦＹＩＮＧ  ＤＩＳＰＯＳＡＢＬＥ  ＡＢＳＯＲＢＥＮＴ  ＡＲＴＩＣＬＥ  ＣＯＮＦＩＧＵＲＡＴＩＯＮＳ  ＦＯＲ  ＷＥＡＲＥＲＳ」と題される米国特許第７，２２２，７３２号（Ｒｏｎｎ）に見出され得る。
【０１０１】
アレイ
「アレイ」は、異なる物品構成（例えば、サイドパネル、サイドフラップ、及び／又はベルトフラップにおける異なるエラストマー材料［組成的にかつ／若しくは構造的に］、異なる図形要素、異なる製品構造、締結具又はそれらがないこと、サイズ、コア容量など）の使い捨て吸収性物品を含むパッケージの表示を意味する。パッケージは、同じブランド及び／若しくは下位ブランド及び／若しくは同じ商標登録を有してもよく、かつ／又は共通の製造業者によって若しくは共通の製造業者のために製造されており、パッケージは、一般的な販売場所で利用可能である（例えば、小売店の所与の領域内で互いに近接して配向されている）。アレイは、顧客に、通常、異なる個々のパッケージがより大規模ラインナップの一部分であることを伝える類似のパッケージ要素（例えば、パッケージの材料種類、フィルム、紙、主要色、設計主題など）を有する製品ラインアップとして市販されている。アレイは、大抵同じブランドを有し、例えば、「Ｈｕｇｇｉｅｓ」は、同じ下位ブランドの、例えば「Ｐｕｌｌ−Ｕｐｓ」を有する。アレイ内の異なる製品は、同じブランド「Ｈｕｇｇｉｅｓ」と、下位ブランド「Ｌｉｔｔｌｅ  Ｍｏｖｅｒｓ」を持つことがある。アレイの「Ｐｕｌｌ−Ｕｐｓ」製品と、アレイ内の「Ｌｉｔｔｌｅ  Ｍｏｖｅｒｓ」製品との間の差には、製品形態、アプリケーションスタイル、異なる締結デザイン、又は生理学的又は心理学的発達の差に対処することを意図した他の構造要素を含むことができる。更に、「Ｐｕｌｌ−Ｕｐｓ」が主に青色又はピンク色のフィルムバッグに包装され、「Ｌｉｔｔｌｅ  Ｍｏｖｅｒｓ」が主に赤色のフィルムバッグに包装されるという点で、包装が明らかに異なっている。
【０１０２】
更に、「アレイ」に関して、別の例として、アレイは同一の製造業者、例えば「Ｋｉｍｂｅｒｌｙ−Ｃｌａｒｋ」によって製造され、共通の商標登録を有する異なる製品形態を有する異なる製品によって形成されてもよく、例えば、１つの製品は、ブランド名「Ｈｕｇｇｉｅｓ」及び下位ブランド「Ｐｕｌｌ−Ｕｐｓ」を有してもよい。アレイ内の異なる製品はブランド／下位ブランド「Ｇｏｏｄ  Ｎｉｔｅｓ」を有してもよく、両方とも、Ｔｈｅ  Ｋｉｍｂｅｒｌｙ−Ｃｌａｒｋ  Ｃｏｒｐｏｒａｔｉｏｎの登録商標であり、及び／又はＫｉｍｂｅｒｌｙ−Ｃｌａｒｋによって製造される。アレイはまた、ブランド、下位ブランド、並びに／あるいはラインアップにわたる特徴及び／又は有益性の商標など、同じ商標を有することが多い。「オンラインアレイ」とは、共通のオンラインソースによって分配された「アレイ」を意味する。
【０１０３】
横バリア
図１３に示されるように、横バリア１６は、横方向軸４４と平行に延在してもよく、結合部１３を介してカフ１５０に接合され、物品（例えば、５００）が開かれて着用されるときに、横バリアがトップシートからＺ方向に延在するように、結合部１４によってトップシート１２４に接合されてもよい。より具体的には、横バリア１６は、物品が着用のために開かれる際にＺ方向に上方に起立するカフにある程度起因して、Ｚ方向に延在してもよい。横バリア１６は、排泄物が前側腰部領域３６へと移動するのを防ぐことができる。したがって、横バリア１６は、前側腰部領域３６及び股部領域３７が交わる場所に近接して配向されてもよく、又は前側腰部領域３６及び股部領域３７が交わる接合部と横方向軸４４との間に配置されてもよい。接着位置１３及び１４をオフセットすることは、トップシート１２４に対する横バリア１６の角度に影響を与える。接着位置１３及び１４は、横バリアがトップシート１２４の表面から約９０度のＺ方向に延びるように配向されてもよい。
【０１０４】
婦人用衛生物品
図１１〜図１２Ｃを参照すると、本開示の吸収性物品は、生理用ナプキンとも呼ばれる婦人衛生物品８０１であってもよく、また、婦人用パッド、及びライナーを含む。生理用ナプキン８０１は、液体透過性トップシート１２４と、液体不透過性、又は実質的に液体不透過性のバックシート１２５と、吸収性コア１２８と、を含んでよい。液体不透過性バックシート１２５は、蒸気透過性であってもよく、又は蒸気透過性でなくてもよい。吸収性コア１２８は、吸収性コア１２８に関して本明細書で説明する特徴部のいずれか又は全てを有し得、いくつかの形態では、先に開示した捕捉材料の代わりに二次トップシート１２４’（ＳＴＳ）を有し得る。ＳＴＳ１２４’は、上述のように、１つ以上のチャネルを含み得る（エンボス版を含む）。いくつかの形態では、ＳＴＳ１２４’内のチャネルは、吸収性コア１２８内のチャネルと位置合わせされてもよい。また、生理用ナプキン８０１は、生理用ナプキン８０１の長手方向軸線４２に対して外向きに延在する羽根１２０を含んでもよい。生理用ナプキン８０１はまた、横方向軸４４を含んでよい。羽根１２０は、トップシート１２４、バックシート１２５、及び／又は吸収性コア１２８に接合されたＴＳ、ＢＳと一体であってよい。
【０１０５】
プロセス
図１４及び図１４Ａを参照すると、第１のビーム３１４（第１の計量装置３１０である）から第１の回転軸３４６の周りに複数の弾性体３１６（約１０〜約５００のデシテックスを有する約１０本のストランド〜約１５００本のストランド）を機械方向ＭＤに巻き出し、第１のビーム３１４（例えば、整経ビーム）から第２の計量装置３１２（第２の回転軸３２８を有する第１のローラー３２４及び第３の回転軸３３４を有する第２のローラー３３１を含み、ニップ３３６を形成する）まで複数の弾性体３１６を移動させる。複数の弾性体３１６は、複数の弾性体３１６に予歪みを与えるために（約５０％〜約４００％）、第１の計量装置３１０と第２の計量装置３１２との間で機械方向ＭＤに沿って伸張されてもよい。伸張された弾性体３１６は、ストランドのそれぞれが、エラストマー積層体において（ＣＤにおいて）約０．２５ｍｍ〜約４ｍｍ離間するように、接着剤アプリケータ３４９からの接着剤３５０によって、第２の計量装置３１２において第１の基材層３０６及び第２の基材層３０８と接合されてエラストマー積層体３０２を形成してもよい（又は複数の弾性体３１６は、他の好適な手段によって接合されてもよい）。本開示のエラストマー積層体３０２を形成し、ベルト、耳パネル、サイドパネル、横バリア、トップシート、バックシート、カフ、ウエストバンド、ウエストキャップ、及び／又はシャーシなどの様々な吸収性物品構成要素に更に組み込まれて、本特許出願に記載される利益を提供することができるのは、このプロセスである。使い捨て吸収性物品で使用するためのビームされたエラストマー積層体を作製するプロセスの更なる詳細は、筆頭に記名された発明者がＳｃｈｎｅｉｄｅｒであり、２０１６年１２月２０日に出願された「ＭＥＴＨＯＤＳ  ＡＮＤ  ＡＰＰＡＲＡＴＵＳＥＳ  ＦＯＲ  ＭＡＫＩＮＧ  ＥＬＡＳＴＯＭＥＲＩＣ  ＬＡＭＩＮＡＴＥＳ  ＷＩＴＨ  ＥＬＡＳＴＩＣ  ＳＴＲＡＮＤＳ  ＵＮＷＯＵＮＤ  ＦＲＯＭ  ＢＥＡＭＳ」と題された米国特許出願公開第６２／４３６，５８９号に開示されている。エラストマー積層体３０２は、吸収性物品製造ラインの一部として製造されてもよく、又はオフラインで製造されてもよく、吸収性物品製造ラインに供給されるエラストマー積層体として巻き出されてもよい。
【０１０６】
本開示のエラストマー積層体
本開示の「エラストマー積層体３０２」は、第１の基材３０６と第２の基材層３０８との間に複数の弾性体３１６を含んでもよく、複数の弾性体３１６（多くの場合、「第１の複数の弾性体」又は「第２の複数の弾性体」と呼ばれる）は、約０．２５ｍｍ〜約４ｍｍの平均ストランド間隔、約１０〜約５００の平均Ｄｔｅｘ、及び約０．１〜約１ｐｓｉのストランド下圧力を有する。当該エラストマー積層体３０２は、様々な吸収性物品構成要素の少なくとも一部を形成するために使用されてもよい。エラストマー積層体３０２が、ベルト、シャーシ、サイドパネル、トップシート、バックシート、及び耳パネル、並びにこれらの組み合わせからなる群のうちの少なくとも１つの少なくとも一部分を形成するとき、エラストマー積層体３０２の複数の弾性体３１６は、約４０〜約１０００本の弾性ストランドを含んでもよい。また、エラストマー積層体３０２が、ウエストバンド、ウエストキャップ、内側レッグカフ、外側レッグカフ、及び横バリア、並びにこれらの組み合わせからなる群のうちの少なくとも１つの少なくとも一部分を形成するとき、エラストマー積層体３０２の第１の複数の弾性体３１６は、約１０〜約４００本の弾性ストランドを含んでもよい。最終的には、「複数の弾性体」は、文脈の用語であり、弾性体の特定の特性（例えば、平均Ｄｔｅｘ、平均ストランド間隔、ストランド下圧力など）、構成、属性、特性、配置などは、特定の「複数の弾性体」がどのようにあるかを定義するために参照される。
【０１０７】
更に、エラストマー積層体３０２は、ベルト４３０、サイドパネル３３０、シャーシ２００、トップシート１２４、バックシート１２５、及び耳パネル５３０を含む物品構成要素の群のうちの１つ以上の少なくとも一部分を形成してもよく、エラストマー積層体３０２は、約０．２５ｍｍ〜約４ｍｍの平均ストランド間隔、約１０〜約５００のデシテックス、約５０％〜約４００％の平均予歪みを有する約４０〜約１０００本の弾性ストランドを有する複数の弾性体を含んでもよく、第１の基材３０６及び第２の基材３０８はそれぞれ、約６グラム毎平方メートル〜約３０グラム毎平方メートルの坪量を有する。
【０１０８】
エラストマー積層体３０２が、ベルト４３０、サイドパネル３３０、シャーシ２００、トップシート１２４、バックシート１２５、及び耳パネル５３０を含む物品構成要素の群のうちの１つ以上の少なくとも一部分を形成してもよいとき、エラストマー積層体３０２は、約５０〜約８２５本の弾性ストランドを有する複数の弾性体を含んでもよい。更に、複数の弾性体は、約１００〜約６５０本の弾性ストランドを含んでもよい。また更に、複数の弾性体は、約１５０〜約４７５本の弾性ストランドを含んでもよい。
【０１０９】
エラストマー積層体３０２が、ベルト４３０、サイドパネル３３０、シャーシ２００、トップシート１２４、バックシート１２５、及び耳パネル５３０を含む物品構成要素の群のうちの１つ以上の少なくとも一部分を形成してもよいとき、エラストマー積層体３０２は、約０．５ｍｍ〜約３．５ｍｍの平均ストランド間隔を有する複数の弾性体を含んでもよい。更に、複数の弾性体は、約１．０ｍｍ〜約２．５ｍｍの平均ストランド間隔を有してもよい。
【０１１０】
エラストマー積層体３０２が、ベルト４３０、サイドパネル３３０、シャーシ２００、トップシート１２４、バックシート１２５、及び耳パネル５３０を含む物品構成要素の群のうちの１つ以上の少なくとも一部分を形成してもよいとき、エラストマー積層体３０２は、約３０〜約４００の平均Ｄｔｅｘを有する複数の弾性体を含んでもよい。更に、エラストマー積層体３０２は、複数の弾性体の平均Ｄｔｅｘが約５０〜約２５０であってもよい。
【０１１１】
エラストマー積層体３０２が、ベルト４３０、サイドパネル３３０、シャーシ２００、トップシート１２４、バックシート１２５、及び耳パネル５３０を含む物品構成要素の群のうちの１つ以上の少なくとも一部分を形成してもよいとき、エラストマー積層体３０２は、約７５％〜約３００％であり得る平均予歪みを有する複数の弾性体を含んでもよい。更に、エラストマー積層体は、約１００％〜約２５０％の平均予歪みを有する複数の弾性体３１６を含んでもよい。
【０１１２】
エラストマー積層体３０２は、ウエストバンド１２２、ウエストキャップ１２３、内側レッグカフ１５０、外側レッグカフ１４０、及び横バリア１６を含む物品構成要素の群のうちの１つ以上の少なくとも一部分を形成してもよく、また、約０．２５ｍｍ〜約４ｍｍの平均ストランド間隔、約１０〜約５００のデシテックス、約５０％〜約４００％の平均予歪みを有する約１０〜約４００本の弾性ストランドを有する複数の弾性体を含んでもよく、第１の基材３０６及び第２の基材３０８はそれぞれ、約６グラム毎平方メートル〜約３０グラム毎平方メートルの坪量を有する。
【０１１３】
エラストマー積層体３０２は、ウエストバンド１２２、ウエストキャップ１２３、内側レッグカフ１５０、外側レッグカフ１４０、及び横バリア１６を含む物品構成要素の群のうちの１つ以上の少なくとも一部分を形成してもよく、また、約１５〜約３００本の弾性ストランドを有する複数の弾性体を含んでもよい。更に、複数の弾性体は、約２０〜約２２５本の弾性ストランドを含んでもよい。更に、複数の弾性体は、約２５〜約１５０本の弾性ストランドを含んでもよい。
【０１１４】
エラストマー積層体３０２は、ウエストバンド１２２、ウエストキャップ１２３、内側レッグカフ１５０、外側レッグカフ１４０、及び横バリア１６を含む物品構成要素の群のうちの１つ以上の少なくとも一部分を形成してもよく、また、約０．５ｍｍ〜約３．０ｍｍの平均ストランド間隔を有する複数の弾性体を含んでもよい。更に、複数の弾性体３１６は、約０．７５ｍｍ〜約２．５ｍｍの平均ストランド間隔を有してもよい。
【０１１５】
エラストマー積層体３０２は、ウエストバンド１２２、ウエストキャップ１２３、内側レッグカフ１５０、外側レッグカフ１４０、及び横バリア１６を含む物品構成要素の群のうちの１つ以上の少なくとも一部分を形成してもよく、また、約３０〜約４００の平均Ｄｔｅｘを有する複数の弾性体を含んでもよい。あるいは、エラストマー積層体３０２の複数の弾性体３１６は、約５０〜約２５０の平均Ｄｔｅｘを有してもよい。
【０１１６】
エラストマー積層体３０２は、ウエストバンド１２２、ウエストキャップ１２３、内側レッグカフ１５０、外側レッグカフ１４０、及び横バリア１６を含む物品構成要素の群のうちの１つ以上の少なくとも一部分を形成してもよく、また、約７５％〜約３００％の平均予歪みを有する複数の弾性体を含んでもよい。あるいは、エラストマー積層体は、約１００％〜約２５０％の平均予歪みを有する弾性体を含んでもよい。
【０１１７】
ベルト４３０、サイドパネル３３０、耳パネル５３０、シャーシ２００、トップシート１２４、バックシート１２５、ウエストバンド１２２、ウエストキャップ１２３、内側レッグカフ１５０、外側レッグカフ１４０、又は横バリアのうちのいずれか１つは、約０．１ｐｓｉ〜約１ｐｓｉ、又は約０．２ｐｓｉ〜約０．８ｐｓｉの平均ストランド下圧力を有する複数の弾性体３１６を含むエラストマー積層体３０２を含んでもよい。
【０１１８】
本開示の吸収性物品は、ベルト４３０、サイドパネル３３０、耳パネル５３０、ウエストバンド１２２、シャーシ２００、トップシート１２４、及びバックシート１２５のうちの１つ以上の一部分を形成するエラストマー積層体３０２を含んでもよい。エラストマー積層体３０２は、特定の弾性デシテックス、不織布タイプ、不織布坪量、平均ストランド間隔、及び平均予歪みを有する複数の弾性体を含んでもよい。また、物品は、１つ以上の同一又は実質的に同一の積層体要素（弾性デシテックス、不織布タイプ、不織布坪量、平均ストランド間隔、及び平均予歪みを含む）を有するエラストマー積層体３０２を含む２つ以上の吸収性物品構成要素（ベルト４３０、サイドパネル３３０、耳パネル５３０、ウエストバンド１２２、シャーシ２００、トップシート１２４、及びバックシート１２５を含む）を含んでもよい。
【０１１９】
吸収性物品構成要素のそれぞれにおいて使用され得るビームされた弾性部材３１６を越えて、弾性不織布、エラストマーフィルム、エラストマー発泡体、エラストマースクリム、及びエラストマーリボン、又はこれらの組み合わせなどの他の弾性構成要素を、ビームされた弾性体３１６と共に使用することができる。
【０１２０】
エラストマー積層体３０２は、弾性材料がエラストマー積層体３０２内で視認可能であるように、弾性材料がより隠され、すなわちマスクされてもよいか、又は異なる色であってもよいように、第１の基材層３０６及び第２の基材層３０８の一方又は両方と同じ色であってもよい複数の弾性体３１６を含んでもよい。更に、弾性体３１６は、実質的に不可視であるように、透明又は半透明であってもよい。弾性体３１６の非常に低いデシテックスと組み合わされた透明性又は半透明性は、弾性体３１６を、そのような弾性体３１６を含むエラストマー積層体３０２を含む吸収性物品のユーザによって視覚的かつ触覚的に目立たなくすることができる。
【０１２１】
一実施形態では、パッケージ６１０は、複数の吸収性物品１００を含んでもよい。パッケージ６１０は、パッケージ材料と、腰部輪郭に対する標的身体長さを計算するために使用されるサイズ情報を示す表示部１０００と、を含み得る。この段落の内容は、パッケージ内の各吸収性物品に当てはまる場合がある。吸収性物品１００は、トップシート１２４、バックシート１２５、及びトップシート１２４とバックシート１２５との間に配置される吸収性コア１２８を有するシャーシ２００を含んでもよい。吸収性物品１００はまた、シャーシ２００の後側腰部領域３８に接合され、シャーシ２００の後側腰部領域３８の外側に延在する後側ベルト４３０Ｂも含む。物品はまた、シャーシ２００の前側腰部領域３６に接合され、シャーシ２００の前側腰部領域３６の外側に延在する前側ベルト４３０Ｆも含む。前側ベルト４３０Ｆは、横方向に対向するベルト側縁部４３７で又はそのベルト側縁部４３７に隣接して後側ベルト４３０Ｂに接合されて、脚部開口部１９２及び腰部１９０開口部を形成して、閉鎖形態のパンツ４００を形成してもよい。前側及び後側ベルト４３０は、腰部開口部にて隣接していてもよい。後側ベルト４３０Ｂは、前側ベルト４３０Ｆの長手方向長さよりも長い長手方向長さを有してもよい。約４０本超の弾性ストランドを含む第１の複数の弾性体３１６ａを有する後側ベルト４３０Ｂ及び約４０本超の弾性ストランドを含む第２の複数の弾性体３１６ｂを有する前側ベルト４３０Ｆ。平均ストランド間隔が約４ｍｍ未満である第１の複数の弾性体３１６ａ。平均ストランド間隔が約４ｍｍ未満である第２の複数の弾性体３１６ｂ。一部が吸収性コア１２８と重なり合う第１の複数の弾性体３１６ａ及び第２の複数の弾性体３１６ｂの一方又は両方。腰部輪郭に対する標的身体長さと腰部輪郭に対する製品長さとの間の差を有する吸収性物品１００は、約−０．３〜約０．３、あるいは約−０．２〜約０．２、特定の実施形態において約−０．１〜約０．１である。吸収性物品はまた、約８０ｍｍ〜約２７０ｍｍ、あるいは約１７０ｍｍ〜約２７０ｍｍ、また他の実施形態では、約８０ｍｍ〜約１８０ｍｍの弛緩した製品腰部幅を有してもよい。吸収性物品はまた、約８０ｍｍ〜約３００ｍｍ、あるいは約８０ｍｍ〜約２００ｍｍの弛緩した製品臀部幅を有してもよい。吸収性物品はまた、約１３０ｍｍ〜約２７０ｍｍ、あるいは約２００ｍｍ〜約２７０ｍｍの弛緩した製品長さを有してもよい。他の実施形態では、弛緩した製品長さは、約１３０ｍｍ〜約２００ｍｍであってもよい。後側ベルト４３０Ｂは、４つの等しいセクションに分割されてもよく、第１のセクション、セクション１は最遠位弾性部を含み、第４のセクション、セクション４は最近位弾性部を含み、第２のセクション、セクション２は、第１のセクションに隣接して配置され、第３のセクション、セクション３は、第２のセクションと第４のセクション、セクション４との間に配置される。前側ベルト４３０Ｆはまた、４つの等しいセクションに分割されてもよく、第１のセクション、セクション１は最遠位弾性部を含み、第４のセクション、セクション４は最近位弾性部を含み、第２のセクション、セクション２は、第１のセクションに隣接して配置され、第３のセクション、セクション３は、第２のセクションと第４のセクション、セクション４との間に配置される。前側ベルト４３０Ｆを形成するセクションのうちの１つ以上は、前側ベルト４３０Ｆの残りのセクションとは異なる断面係数を有してもよい。後側ベルト４３０Ｂを形成するセクションのうちの１つ以上は、前側ベルト４３０Ｂの残りのセクションとは異なる断面係数を有してもよい。あるいは、前側ベルト４３０Ｆを形成するセクションのうちの１つ以上は、後側ベルト４３０Ｂを形成するセクションのうちの１つ以上と異なる断面係数を有してもよい。後側ベルト４３０Ｂ及び前側ベルト４３０Ｆは両方とも、第１の基材層３０６と第２の基材層３０８と、第１の基材層３０６と第２の基材層３０８との間に配置された複数の弾性体とを含むエラストマー積層体３０２によって少なくとも部分的に形成されてもよい。後側ベルト４３０Ｂの少なくとも一部分を形成する第１の基材３０６及び第２の基材３０８の一方又は両方、並びに前側ベルト４３Ｆの少なくとも一部分を形成する第１の基材３０６及び第２の基材３０８の一方又は両方は、別個であり、互いに離間している。あるいは、後側ベルト４３０Ｂの少なくとも一部分を形成する第１の基材３０６及び第２の基材３０８の一方又は両方、並びに前側ベルト４３Ｆの少なくとも一部分を形成する第１の基材３０６及び第２の基材３０８の一方又は両方は、連続的であり第１の腰部縁部から長手方向に対向する第２の腰部縁部まで延在する。エラストマー積層体はまた、第１の基材層３０６及び／又は第２の基材層３０８を複数の弾性体３１６に接合する接着剤を含んでもよい。接着剤は、スチレン系ブロックコポリマー、ポリオレフィン、エチレン−ビニルアセテート、ポリウレタン、エチレン−プロピレンコポリマー、プロピレン−エチレンコポリマー、ポリオレフィンブロックポリマー、ポリオレフィンホモポリマー、ポリエステル、ポリアミド、シリコーン、シアノアクリル系、アクリル系、ブチルゴム、及びこれらの組み合わせからなる群から選択され得る。特定の実施形態では、前側ベルト４３０Ｆのセクションのうちの１つは、前側ベルト４３０Ｆの残りのセクションのうちの１つ以上より（that）多くの弾性体を含んでもよく、後側ベルト４３０Ｂのセクションのうちの１つは、後側ベルト４３０Ｂの残りのセクションのうちの１つ以上より（that）多くの弾性体を含んでもよい。前側ベルト４３０Ｆは、約１０個超の弾性体、あるいは約２０個超の弾性体を含む少なくとも１つのセクションを有してもよく、後側ベルト４３０Ｂは、約１０個超の弾性体、あるいは約２０個超の弾性体を含む少なくとも２つのセクションを有してもよい。前側ベルト４３０Ｆは、約３ｍｍ未満の平均ストランド間隔を有する少なくとも２つのセクションを有してもよく、後側ベルト４３０Ｂは、約３ｍｍ未満の平均ストランド間隔を有する少なくとも３つのセクションを有してもよい。
【０１２２】
別の実施形態では、パッケージ６１０は、複数の吸収性物品１００を含んでもよい。パッケージ６１０は、パッケージ材料と、腰部輪郭に対する標的身体長さを計算するために使用されるサイズ情報を示す表示部１０００と、を含み得る。この段落の内容は、パッケージ内の各吸収性物品に当てはまる場合がある。吸収性物品１００は、トップシート１２４、バックシート１２５、及びトップシート１２４とバックシート１２５との間に配置される吸収性コア１２８を有するシャーシ２００を含んでもよい。吸収性物品１００はまた、シャーシ２００の後側腰部領域３８に接合され、シャーシ２００の後側腰部領域３８の外側に延在する後側ベルト４３０Ｂも含む。物品はまた、シャーシ２００の前側腰部領域３６に接合され、シャーシ２００の前側腰部領域３６の外側に延在する前側ベルト４３０Ｆも含む。前側ベルト４３０Ｆは、横方向に対向するベルト側縁部４３７で又はそのベルト側縁部４３７に隣接して後側ベルト４３０Ｂに接合されて、脚部開口部１９２及び腰部１９０開口部を形成して、閉鎖形態のパンツ４００を形成してもよい。前側及び後側ベルト４３０は、腰部開口部にて隣接していてもよい。後側ベルト４３０Ｂは、前側ベルト４３０Ｆの長手方向長さよりも長い長手方向長さを有してもよい。約６０本超の弾性ストランドを含む第１の複数の弾性体３１６ａを有する後側ベルト４３０Ｂ及び約６０本超の弾性ストランドを含む第２の複数の弾性体３１６ｂを有する前側ベルト４３０Ｆ。平均ストランド間隔が約４ｍｍ未満である第１の複数の弾性体３１６ａ。平均ストランド間隔が約４ｍｍ未満である第２の複数の弾性体３１６ｂ。一部が吸収性コア１２８と重なり合う第１の複数の弾性体３１６ａ及び第２の複数の弾性体３１６ｂの一方又は両方。腰部輪郭に対する標的身体長さと腰部輪郭に対する製品長さとの間の差を有する吸収性物品１００は、約−０．３〜約０．３、あるいは約−０．２〜約０．２、特定の実施形態において約−０．１〜約０．１である。吸収性物品はまた、約２００ｍｍ〜約４００ｍｍ、あるいは約２５０ｍｍ〜約３５０ｍｍ、また特定の実施形態では約２７５ｍｍ〜約３２５ｍｍの弛緩した製品腰部幅を有してもよい。吸収性物品はまた、約２００ｍｍ〜約４５０ｍｍ、あるいは約２５０ｍｍ〜約４００ｍｍの弛緩した製品臀部幅を有してもよい。吸収性物品はまた、約２５０ｍｍ〜約４５０ｍｍ、あるいは約３００ｍｍ〜約４００ｍｍ、また特定の実施形態では約３２５〜約３７５の弛緩した製品長さを有してもよい。後側ベルト４３０Ｂは、４つの等しいセクションに分割されてもよく、第１のセクション、セクション１は最遠位弾性部を含み、第４のセクション、セクション４は最近位弾性部を含み、第２のセクション、セクション２は、第１のセクションに隣接して配置され、第３のセクション、セクション３は、第２のセクションと第４のセクション、セクション４との間に配置される。前側ベルト４３０Ｆはまた、４つの等しいセクションに分割されてもよく、第１のセクション、セクション１は最遠位弾性部を含み、第４のセクション、セクション４は最近位弾性部を含み、第２のセクション、セクション２は、第１のセクションに隣接して配置され、第３のセクション、セクション３は、第２のセクションと第４のセクション、セクション４との間に配置される。前側ベルト４３０Ｆを形成するセクションのうちの１つ以上は、前側ベルト４３０Ｆの残りのセクションとは異なる断面係数を有してもよい。後側ベルト４３０Ｂを形成するセクションのうちの１つ以上は、前側ベルト４３０Ｂの残りのセクションとは異なる断面係数を有してもよい。あるいは、前側ベルト４３０Ｆを形成するセクションのうちの１つ以上は、後側ベルト４３０Ｂを形成するセクションのうちの１つ以上と異なる断面係数を有してもよい。後側ベルト４３０Ｂ及び前側ベルト４３０Ｆは両方とも、第１の基材層３０６と第２の基材層３０８と、第１の基材層３０６と第２の基材層３０８との間に配置された複数の弾性体とを含むエラストマー積層体３０２によって少なくとも部分的に形成されてもよい。後側ベルト４３０Ｂの少なくとも一部分を形成する第１の基材３０６及び第２の基材３０８の一方又は両方、並びに前側ベルト４３Ｆの少なくとも一部分を形成する第１の基材３０６及び第２の基材３０８の一方又は両方は、別個であり、互いに離間している。あるいは、後側ベルト４３０Ｂの少なくとも一部分を形成する第１の基材３０６及び第２の基材３０８の一方又は両方、並びに前側ベルト４３Ｆの少なくとも一部分を形成する第１の基材３０６及び第２の基材３０８の一方又は両方は、連続的であり第１の腰部縁部から長手方向に対向する第２の腰部縁部まで延在する。エラストマー積層体はまた、第１の基材層３０６及び／又は第２の基材層３０８を複数の弾性体３１６に接合する接着剤を含んでもよい。接着剤は、スチレン系ブロックコポリマー、ポリオレフィン、エチレン−ビニルアセテート、ポリウレタン、エチレン−プロピレンコポリマー、プロピレン−エチレンコポリマー、ポリオレフィンブロックポリマー、ポリオレフィンホモポリマー、ポリエステル、ポリアミド、シリコーン、シアノアクリル系、アクリル系、ブチルゴム、及びこれらの組み合わせからなる群から選択され得る。特定の実施形態では、前側ベルト４３０Ｆのセクションのうちの１つは、前側ベルト４３０Ｆの残りのセクションのうちの１つ以上より多くの弾性体を含んでもよく、後側ベルト４３０Ｂのセクションのうちの１つは、後側ベルト４３０Ｂの残りのセクションのうちの１つ以上より多くの弾性体を含んでもよい。前側ベルト４３０Ｆは、約６０個超の弾性体、あるいは約７５個超の弾性体を含む少なくとも１つのセクションを有してもよく、後側ベルト４３０Ｂは、約６０個超の弾性体、あるいは約７５個超の弾性体を含む少なくとも２つのセクションを有してもよい。前側ベルト４３０Ｆは、約３ｍｍ未満の平均ストランド間隔を有する少なくとも２つのセクションを有してもよく、後側ベルト４３０Ｂは、約３ｍｍ未満の平均ストランド間隔を有する少なくとも３つのセクションを有してもよい。
【０１２３】
複数のビーム
ウエストバンド１２２、ウエストキャップ１２３、内側レッグカフ１５０、外側レッグカフ１４０及び／又は横バリアのうちの１つ以上は、複数の弾性ビームから形成されてもよいことを理解されたい。例えば、１つのビームは、ウエストバンド１２２、ウエストキャップ１２３、内側レッグカフ１５０、外側レッグカフ１４０、及び／又は横バリアのうちの１つ以上の第１部分を形成してもよく、第２のビームは、ウエストバンド１２２、ウエストキャップ１２３、内側レッグカフ１５０、外側レッグカフ１４０、及び／又は横バリアのうちの１つ以上の第２部分を形成してもよく、別個のビームは、異なる数の弾性体を含んでもよく、かつ／又はそのビームは、異なるデシテックスを有する弾性体を有してもよく、かつ／又は２つのビームの弾性体は、異なる平均ストランド間隔で配置されてもよく、かつ／又は別個のビームは、異なる平均予歪みを有する弾性体を送達してもよく、かつ／又はその異なるビームは、例えば、線状、弓状、角度付きなど、製品内で異なる配向を有する弾性体を送達してもよい。このような複数ビームアプローチから作製されたウエストバンド１２２、ウエストキャップ１２３、内側レッグカフ１５０、外側レッグカフ１４０、及び／又は横バリアの得られた部分は、異なる質感、衣類のような外観、断面係数、及び／又は異なる力を有し得る。
【０１２４】
ベルト４３０、サイドパネル３３０、耳パネル５３０、ウエストバンド１２２、シャーシ２００、トップシート１２４、及びバックシート１２５を含む吸収性物品構成要素のうちの１つ以上は、複数の弾性ビームから形成されたエラストマー積層体３０２を含んでもよいことも理解されたい。例えば、１つのビームは、ベルト４３０、サイドパネル３３０、耳パネル５３０、ウエストバンド１２２、シャーシ２００、トップシート１２４、及びバックシート１２５を含む１つ以上の吸収性物品構成要素の第１部分を形成してもよく、第２のビームは、ベルト４３０、サイドパネル３３０、耳パネル５３０、ウエストバンド１２２、シャーシ２００、トップシート１２４、及びバックシート１２５を含む吸収性物品構成要素の第２部分を形成してもよい。別個のビームは、異なる数の弾性体を含んでもよく、そのビームは、異なるデシテックスを有する弾性体３１６を有してもよい。２つのビームの弾性体は、異なる平均ストランド間隔で配置されてもよく、かつ／又は別個のビームは、異なる平均予歪みを有する弾性体を送達してもよく、かつ／又は異なるビームは、例えば、線状、弓状、角度付きなど、製品内で異なる配向を有する弾性体を送達してもよい。このような複数ビームアプローチから作製されたベルト４３０、サイドパネル３３０、耳パネル５３０、ウエストバンド１２２、シャーシ２００、トップシート１２４、及び／又はバックシート１２５を含む吸収性物品構成要素の得られた部分は、異なる質感、衣類のような外観、断面係数、及び／又は異なる力を有し得る。
【０１２５】
横方向に伸張する弾性体
本開示の着用可能物品は、複数の横方向に伸張する弾性体を有する１つ以上のエラストマー積層体３０２を含んでもよく、１つ以上のエラストマー積層体は、第１の腰部領域、股部領域、及び／又は対向する第２の腰部領域内に存在してもよく、弾性体３１６は、第１及び第２の腰部領域の一方又は両方に配置されてもよく、股部領域内に配置された横方向に伸張する弾性体の一部又は全てよりも、より高い弾性デシテックス、より高いパーセントの平均予歪み、及びより小さい平均ストランド間隔のうちの１つ以上を有してもよい。そのような着用可能物品は、約０．２５ｍｍ〜約４ｍｍの平均ストランド間隔、約１０〜約５００のデシテックス、約５０％〜約４００％の平均予歪み、並びにそれぞれ約６グラム毎平方メートル〜約３０グラム毎平方メートルの坪量を有する第１の基材３０６及び／又は第２の基材３０８により、約１００〜約１５００本の弾性ストランドを有する複数の弾性体３１６を有する１つ以上のエラストマー積層体３０２を含んでもよい。
【０１２６】
化学的性質（スパンデックス対押出ストランド）及び構造
ビームされた弾性体は、スパンデックス繊維を使用する。スパンデックス繊維の１つのタイプは、（溶融状態で加工できるものと対照的に）溶液（溶媒）紡糸プロセスを使用して繊維に形成する必要がある「ポリウレタン尿素」エラストマー又は「高ハードセグメントレベルポリウレタン」エラストマーである。ポリウレタン尿素の尿素結合は、夜間を含む、おむつの着用に対応する時間スケールでの体温付近の温度での良好な応力緩和性能を可能にする「固定」を提供するために重要な強い化学的相互作用を提供する。この種の固定は、多くの熱可塑性ポリウレタン（ハードセグメントが２００℃未満で融解するポリウレタン）又は熱可塑性スチレン系ブロックコポリマーと比較してより良好な力緩和（すなわち、体温で伸張状態に保持されたときに時間と共に減衰する力が少ない）を可能にする。
【０１２７】
対照的に、押出ストランド及びスクリムは、典型的には、従来の押出プロセスによって溶融状態で形成され得るスチレン系ブロックコポリマー又は熱可塑性エラストマーで作製される。熱可塑性エラストマーとしては、ポリオレフィンエラストマー、ポリウレタン（ハードセグメントが２００℃未満で融解するポリウレタン）エラストマーなどのような組成物が挙げられる。ポリウレタン（ハードセグメントが２００℃未満で融解するポリウレタン）のようなこれらの熱可塑性エラストマーは、溶融／再溶融し、押出成形することができるので、使用中に、より高い応力緩和の影響を受けやすくなり、このことは大きな欠点である。押出ストランドに使用されるスチレン系ブロックコポリマーは、比較的短い末端ブロックの間に位置する比較的長いゴム状中間ブロックを含む。良好な流れの従来の押出プロセスを可能にする程度に十分に短い末端ブロックは、多くの場合、応力緩和に対する傾向が大きく、経時的な力緩和を受けることが多い（図２３参照）。
【０１２８】
スパンデックスに存在する尿素結合は、紡糸プロセスによって作製される必要がある。スパンデックスは、スチレン系ブロックコポリマーのように溶融／再溶融する又は押出すことができない。スパンデックスプレポリマーを溶媒及び添加剤と組み合わせ、溶液を紡糸して、固体スパンデックス繊維を作製する。次いで、複数の繊維を一緒に形成して、１つのスパンデックスストランドを作製する。スパンデックスストランドは、ブロッキングを回避し、スプールに巻き取るための表面仕上げを有してもよい。１つのスパンデックス繊維は、約１５のデシテックスを有してもよく、その結果、５００デシテックスストランドは、１本のストランドを作製するために一緒に巻かれた名目上３３本の繊維を有してもよい。ビームアプローチに使用するデシテックスに応じて、１５本の繊維（又はフィラメント）、８本の繊維、５本の繊維、３本の繊維、又は更には２本ほどの少ない繊維を有してもよい。スパンデックス繊維は、モノコンポーネント又はバイコンポーネントであり得る（国際公開第２０１０４５６３７（Ａ２）号に開示されるように）。
【０１２９】
ビームされた弾性体の化学的性質に更に関連して、約１０％、約７％、約５％、約３％、又は約１％のシリコーンオイルを含むシリコーンオイルなどの油でビームされた弾性体をコーティングすることが望ましい場合がある。ビームされた弾性体をシリコーンオイルで処理することは、ストランドがスプール又はビームに巻かれたときにブロッキング（架橋）を防止するのに役立ち、また、繊維機械（製織プロセス、編成プロセス、及び整経プロセス用）内のストランドのＣＯＦも低下させる。
【０１３０】
市販のスパンデックスストランドはまた、Ｌｙｃｒａ、Ｃｒｅｏｒａ、Ｒｏｉｃａ、又はＤｏｒｌａｓｔａｎとしても知られ得る。スパンデックスは、多くの場合、エラスタン繊維又はポリウレタン繊維と呼ばれる。
【０１３１】
ＬＹＣＲＡ  ＨＹＦＩＴストランド、Ｉｎｖｉｓｔａ（Ｗｉｃｈｉｔａ，Ｋａｎｓａｓ）の製品は、エラストマー積層体３０２を構成する複数の弾性体３１６を構成するストランドを作製するのに好適である。いくつかのストランド、例えば、前述のＬＹＣＲＡ  ＨＹＦＩＴは、一緒に巻かれてストランドを形成する多数の個々の繊維を含んでもよい。多数の個々の繊維から形成された弾性ストランドに関して、個々の繊維は、互いに対して移動することがあり、ストランドの断面形状を変化させ、並びにほどけるようになり、そのことが、ストランドの不十分な制御並びにエラストマー積層体３０２の第１の基材層３０６及び第２の基材層３０８の一方又は両方への弾性ストランドの不十分な結合／接着／接合につながり得ることが発見された。複数の繊維を含むストランドに対する欠点を最小限に抑えるために、所与のストランド中の繊維の数を最小化することが有利であろう。したがって、ストランド当たり約４０本未満の繊維、ストランド当たり約３０本未満の繊維、ストランド当たり約２０本未満の繊維、ストランド当たり約１０本未満の繊維、ストランド当たり約５本未満の繊維、及びストランドを形成する１本の繊維を有することが望ましいであろう。従来技術のマルチファイバーストランドに匹敵する性能を送達することができるストランドを形成する単一繊維の場合、繊維が約２２〜約３００の繊維デシテックス、及び約５０マイクロメートル〜約１８５マイクロメートルの繊維直径を有することが望ましいであろう。
【０１３２】
ビームされたエラストマー積層体の実施例
消費者相互作用及び研究により、皮膚マークの付かない快適な着用体験を提供するために（今日のストランド状の製品に対して）低い弾性圧力を有する物品を提供しながら、適用及び取り外し容易性並びに移動の自由のために断面係数のバランスのとれた吸収性物品を提供するという長年にわたり満たされない消費者ニーズが存在することが示されている。約２ｇｆ／ｍｍ〜約１５ｇｆ／ｍｍ、あるいは、約３ｇｆ／ｍｍ〜約１２ｇｆ／ｍｍ、また特定の実施形態では約４ｇｆ／ｍｍ〜約１０ｇｆ／ｍｍの断面係数を有するエラストマー積層体構造が、適用の容易さ、取り外しの容易さ、適合フィット、及び移動の自由に望ましいことが見出された。これらの構造における弾性構成に応じて、これらの構造体は、それぞれの弾性体、例えば弾性ストランドの下で非常に高い圧力を呈して、皮膚の跡の増加及び快適性の低減をもたらす。皮膚上の弾性体の圧力を低減する１つのアプローチは、所与の領域の弾性体の数を増加させることである。所与の領域内だけの弾性体の数を増加させることにより、それぞれの弾性体の下の圧力を低減することができるが、しかしながら、それが唯一の変化である場合は、エラストマー積層体構造の全体的な弾性率も大幅に増加させることができる。皮膚上の断面係数及び圧力の正しいバランスを達成するために、弾性体間の間隔が低減されるとき、弾性デシテックス及び／又は弾性歪みを低減し、それによって、皮膚上で断面係数及び圧力を均衡させ、消費者に好ましい範囲内にこれらのパラメータを維持するために弾性体数を増加させることが必要である。この重要な発見は、非常に低い歪みレベルで、かつ使い捨て吸収性物品に全く見られなかった非常に狭い弾性体間隔で、非常に低いデシテックス弾性を送達することにより、可能になった。低歪みかつ狭い間隔でのこのような低デシテックス弾性の送達は、織物整経ビーム技術アプローチから作製された吸収性物品には初めての技術を介して可能になる。以下の実施例は、そのようなエラストマー構造のいくつかの実施形態である。
【０１３３】
【表１】
0006888090.tif 000002
【０１３４】
【表２】
0006888090.tif 000003
【０１３５】
【表３】
0006888090.tif 000004
【０１３６】
【表４】
0006888090.tif 000005
【実施例】
【０１３７】
実施例１−ベルトパンツ物品（例えば、図５、図５Ａ、図６、図７、図７Ａ、及び図８参照）
実施例１は、ベルト状パンツ吸収性物品である。パンツは、両方の腰部領域に配置されたベルト積層体並びに以下の材料及び構造を含む。
【０１３８】
【表５】
0006888090.tif 000006
【０１３９】
実施例２−テープ式物品（例えば、図９、図９Ａ、及び図１０参照）
実施例２は、サイドパネルテープ式吸収性物品である。テープ式物品は、第１の腰部領域に配置された一対のサイドパネル並びに以下の材料及び構造を含む。
【０１４０】
【表６】
0006888090.tif 000007
【０１４１】
実施例３−サイドパネルパンツ物品（例えば、図３及び図３Ｂ参照）
実施例３は、サイドパネルパンツ吸収性物品である。パンツ物品は、各腰部領域に配置された一対のサイドパネルを有し、以下の材料及び構造を含む。
【０１４２】
【表７】
0006888090.tif 000008
【０１４３】
【表８】
0006888090.tif 000009
【０１４４】
表６（以下）は、今日の市販のストランド状の製品の一部を詳細に示す。図１８は、これらの製品の腰部輪郭に対する製品長さが、消費者の腰部輪郭に対する身体長さと比較してどうかを示す。これらの比較製品では、それらの腰部輪郭に対する製品長さは、それらの対象消費者のものと一致しないことを見ることができる。この不整合の結果は、その製品らが、消費者集団の大半にわたって、同集団に対し身体測定尺度と一致するように設計された製品より下位レベルのフィット感、快適性、被覆率、及びガスケッチングを提供することである。
【０１４５】
【表９−１】
0006888090.tif 000010
【０１４６】
【表９−２】
0006888090.tif 000011
【０１４７】
表７（以下）は、本発明のストランド状の製品を示し、その腰部輪郭に対する製品長さは、フィットすることを目標とする消費者の傾向に合致し、それによって漏れの可能性を低減しながらより良好なフィット及び快適性を提供する。これらの本発明の製品は、単に非限定的な例として提供されている。
【０１４８】
【表１０】
0006888090.tif 000012
【０１４９】
吸収性物品セクション
エラストマー積層体３０２を含む吸収性物品の構成要素は、構造体の測定及び詳細な特性評価を可能にするようにセクション化されてもよい。ウエストバンド１２２（図３Ｂ、図４、及び図１０参照）、ウエストキャップ１２３（図９参照）、内側レッグカフ１５０、外側レッグカフ１４０、及び横バリア１６５は全て、１つのセクションを含む。ウエストバンド１２２、ウエストキャップ１２３、内側レッグカフ１５０、外側レッグカフ１４０、及び横バリア１６５に関して、セクションは、最遠位弾性体と最近位側弾性体との間に配置され、かつそれを含む領域として定められる。
【０１５０】
シャーシ２００、トップシート１２４（図７Ａ及び図７Ｃ参照）、バックシート１２５（図７Ｃ及び図７Ｄ参照）、サイドパネル３３０（図３Ｂ参照）、耳パネル５３０（図９及び図１０）、及びベルトパネル４３０（図７及び図７Ａ参照）などの他の構成要素は、全て、本明細書に記載されるように複数のセクションを含む。サイドパネル３３０、耳パネル５３０、及びベルトパネル４３０に関して、セクション化される構成要素の部分は、エラストマー積層体３０２の最遠位弾性体と、エラストマー積層体３０２の最近位弾性体との間に配置され、かつそれを含む領域として定められる。領域は、横方向軸４４に平行に延在し、最遠位弾性体の最遠位点を通過する第１の線、及び横方向軸に平行に延在し、最近位弾性体の最近位点を通過する第２の線によって画定される。これらの要素のそれぞれに関して、領域は次に、４つの等しいセクションに分割され、横方向軸４４に平行に配置され、第１の線と第２の線との間の距離の２５％、５０％、及び７５％に配置された３本の線によって画定される。領域は、最遠位弾性体を含む第１のセクションと、最近位弾性体を含む第４のセクションと、第１のセクションに隣接して配置された第２のセクションと、第２のセクションと第４のセクションとの間に配置された第３のセクションと、を含む。
【０１５１】
エラストマー積層体３０２の弾性体３１６が実質的に長手方向の配向で延在する、シャーシ２００、トップシート１２４（図７Ａ及び図７Ｃ参照）、及びバックシート１２５（図７Ｃ参照）に関して、セクション化される構成要素の部分は、長手方向軸４２の第１の側にあるエラストマー積層体３０２の最遠位弾性体と、長手方向軸４２の第２の側にあるエラストマー積層体３０２の最遠位弾性体との間に配置され、かつそれを含む領域として定められる。領域は、長手方向軸４２に平行に延在し、長手方向軸４２の第１の側にある最遠位弾性体の最遠位点を通過する第１の線、及び長手方向軸４２に平行に延在し、長手方向軸４２の第２の側にある最遠位弾性体の最遠位点を通過する第２の線によって画定される。これらの要素のそれぞれに関して、領域は次に、４つの等しいセクションに分割され、長手方向軸４２に平行に配置され、第１の線と第２の線との間の距離の２５％、５０％、及び７５％に配置された３本の線によって画定される。領域は、長手方向軸の第１の側にある最遠位弾性体を含む第１のセクションと、長手方向軸の第２の側にある最遠位弾性体を含む第４のセクションと、第１のセクションに隣接して配置された第２のセクションと、第２のセクションと第４のセクションとの間に配置された第３のセクションと、を含む。
【０１５２】
エラストマー積層体３０２の弾性体３１６が実質的に横方向の配向で延在する、シャーシ２００、トップシート１２４、及びバックシート１２５（図７Ｄ参照）に関して、セクション化される構成要素の部分は、横方向軸４４の第１の側におけるエラストマー積層体３０２の最遠位弾性体と、横方向軸４４の第２の側におけるエラストマー積層体３０２の最遠位弾性体との間に配置され、かつそれを含む領域として定められる。領域は、横方向軸４４に平行に延在し、横方向軸４４の第１の側にある最遠位弾性体の最遠位点を通過する第１の線、及び横方向軸４４に平行に延在し、横方向軸４４の第２の側にある最遠位弾性体の最遠位点を通過する第２の線によって画定される。これらの要素のそれぞれに関して、領域は次に、４つの等しいセクションに分割され、横方向軸４４に平行に配置され、第１の線と第２の線との間の距離の２５％、５０％、及び７５％に配置された３本の線によって画定される。領域は、横方向軸の第１の側にある最遠位弾性体を含む第１のセクションと、横方向軸の第２の側にある最遠位弾性体を含む第４のセクションと、第１のセクションに隣接して配置された第２のセクションと、第２のセクションと第４のセクションとの間に配置された第３のセクションと、を含む。
【０１５３】
例示の請求項の組み合わせ
例示の請求項セット１：
１．吸収性物品を含むパッケージであって、
複数の吸収性物品を収容し、腰部輪郭に対する標的身体長さを計算するために使用されるサイズ情報を示す表示部を含む、パッケージ材料と、
前記複数の吸収性物品の各吸収性物品であって、
前側腰部領域と、後側腰部領域と、その間の股部領域と、
トップシートと、バックシートと、前記トップシートと前記バックシートとの間に配置された吸収性コアと、を含むシャーシであって、前記シャーシは、前端縁部と、後端縁部と、一対の横方向に対向する側縁部と、を含む、シャーシと、
前記シャーシの前記後側腰部領域に接合され、前記シャーシの前記後側腰部領域の外側に延在する後側ベルトと、
前記シャーシの前記前側腰部領域に接合され、前記シャーシの前記前側腰部領域の外側に延在する前側ベルトと、を含み、
前記前側ベルトは、前記横方向に対向するベルト側縁部で又は当該ベルト側縁部に隣接して前記後側ベルトに接合されて、脚部開口部及び腰部開口部を形成して、閉鎖形態のパンツを形成し、
長手方向軸は、前記前側腰部縁部の中点から前記後側腰部縁部の中点まで延在し、
横方向軸は、前記長手方向軸の中点を通って前記長手方向軸に垂直に延在し、
前記後側ベルトは、約４０本超の弾性ストランドを含む第１の複数の弾性体を含み、前記前側ベルトは、約４０本超の弾性ストランドを含む第２の複数の弾性体を含み、
前記第１の複数の弾性体は、４ｍｍ未満の平均ストランド間隔を有し、前記第２の複数の弾性体は、４ｍｍ未満の平均ストランド間隔を有し、
前記腰部輪郭に対する標的身体長さと前記腰部輪郭に対する製品長さとの間の差が、約−０．３〜約０．３であり、前記吸収性物品は、約８０ｍｍ〜約２７０ｍｍの弛緩した製品腰部幅及び約１３０ｍｍ〜約２７０ｍｍの弛緩した製品長さを有する、吸収性物品と、を含むパッケージ。
２．前記後側ベルトが、４つの等しいセクションに分割され、セクション４が、前記後側ベルトの近位端縁部を含み、セクション１が、前記後側ベルトの遠位端縁部を含み、セクション２が、セクション１に近接し、セクション３が、セクション４に近接し、前記前側ベルトが、４つの等しいセクションに分割され、セクション４が、前記前側ベルトの近位端縁部を含み、セクション１が、前記前側ベルトの遠位端縁部を含み、セクション２が、セクション１に近接し、セクション３がセクション４に近接する、請求項１に記載のパッケージ。
３．前記前側ベルトが、前側内側（着用者に面する）不織布と、前側外側（衣類に面する）不織布と、を含み、前記後側ベルトが、後側内側（着用者に面する）不織布と、後側外側（衣類に面する）不織布と、を含む、請求項１〜２のいずれか一項に記載のパッケージ。
４．前記前側内側不織布及び前記後側内側不織布が、互いに別個であり、かつ長手方向に離間している、請求項３に記載のパッケージ。
５．前記前側外側不織布及び前記後側外側不織布が、互いに別個であり、かつ長手方向に離間している、請求項３及び４のいずれか一項に記載のパッケージ。
６．前記前側外側不織布及び前記後側外側不織布が、同一の外側カバー不織布層から形成され、その結果、前記外側カバー不織布層は、前記前側腰部領域から前記後側腰部領域まで連続的に延在する、請求項４に記載のパッケージ。
７．前記前側ベルトのセクション１が、前記前側ベルトのセクション２、３、又は４よりも多くの弾性体を含み、前記後側ベルトのセクション１が、前記後側ベルトのセクション２、３、又は４よりも多くの弾性体を含む、請求項２に記載のパッケージ。
８．前記前側ベルトの前記セクションのうちの少なくとも１つが、１０本超の弾性ストランドを含み、前記後側ベルトの前記セクションのうちの少なくとも２つが、１０本超の弾性ストランドを含む、請求項２及び７のいずれか一項に記載のパッケージ。
９．前記前側ベルトの前記セクションのうちの少なくとも２つが、約３ｍｍ未満の平均ストランド間隔を有し、前記後側ベルトの前記セクションのうちの少なくとも３つが、約３ｍｍ未満の平均ストランド間隔を有する、請求項２、７、及び８のいずれか一項に記載のパッケージ。
１０．前記前側ベルトのセクション１及び２の合計が、２０本超の弾性ストランドを含み、前記前側ベルトのセクション１及び２の合計が、２０本超の弾性ストランドを含む、請求項２、７、８、及び９のいずれか一項に記載のパッケージ。
１１．前記第１の複数の弾性体の少なくとも一部が、前記吸収性コアと重なり合い、前記第２の複数の弾性体の少なくとも一部が、前記吸収性コアと重なり合う、請求項１〜１０のいずれか一項に記載のパッケージ。
１２．前記後側内側不織布及び前記外側不織布が、組成、ポリマー型、繊維直径、繊維形状、結合パターン、色、不織布タイプ（例えば、スパンボンド、カードなど）及び／又は坪量が異なる、請求項３、４、５、及び６のいずれか一項に記載のパッケージ。
１３．前記第１の複数の弾性体のセクション１及び２が、前記第２の複数の弾性体のセクション１及び２と異なる断面係数を有する、請求項２、７、８、９、及び１０のいずれか一項に記載のパッケージ。
１４．前記第１の複数の弾性体の前記セクション及び前記第２の複数の弾性体の前記セクションのそれぞれが、異なる断面係数を有する、請求項２、７、８、９、１０、及び１３のいずれか一項に記載のパッケージ。
１５．前記後側ベルトが、前記長手方向軸に沿って前記前側ベルトよりも大きい長手方向距離を有し、前記前側及び後側ベルトが、前記腰部開口部において実質的に同一末端である、請求項１〜１４のいずれか一項に記載のパッケージ。
１６．前記吸収性物品が、約１７０ｍｍ〜約２７０ｍｍの弛緩した製品腰部幅を有する、請求項１〜１５のいずれか一項に記載のパッケージ。
１７．前記吸収性物品が、約８０ｍｍ〜約１８０ｍｍの弛緩製品腰部幅を有する、請求項１〜１６のいずれか一項に記載のパッケージ。
１８．前記弛緩した製品長さが、約２００ｍｍ〜約２７０である、請求項１〜１７のいずれか一項に記載のパッケージ。
１９．前記弛緩した製品長さが、約１３０ｍｍ〜約２００ｍｍである、請求項１〜１８のいずれか一項に記載のパッケージ。
２０．前記腰部輪郭に対する標的身体長さと前記腰部輪郭に対する製品長さとの間の差が、約−０．２〜約０．２である、請求項１〜１９のいずれか一項に記載のパッケージ。
２１．前記腰部輪郭に対する標的身体長さと前記腰部輪郭に対する製品長さとの間の差が、約−０．１〜約０．１である、請求項１〜２０のいずれか一項に記載のパッケージ。
２２．前記腰部輪郭に対する標的身体長さと前記腰部輪郭に対する製品長さとの間の差が、約−０．０５〜約０．０５である、請求項１〜２１のいずれか一項に記載のパッケージ。
２３．前記第１の複数の弾性体及び前記第２の複数の弾性体が、ポリウレタン尿素を含む、請求項１〜２２のいずれか一項に記載のパッケージ。
２４．前記第１の複数の弾性体及び前記第２の複数の弾性体が、シリコーンオイル被覆を含む、請求項１〜２３のいずれか一項に記載のパッケージ。
２５．前記後側ベルトが、第１の基材層及び第２の基材層を含み、前記第１の複数の弾性体が、接着剤を介して前記第１の基材層と第２の基材層との間に配置され、前記第１の基材層及び第２の基材層に接合される、請求項１〜２４のいずれか一項に記載のパッケージ。
２６．前記接着剤が、スチレン系ブロックコポリマー、ポリオレフィン、エチレン−ビニルアセテート、ポリウレタン、エチレン−プロピレンコポリマー、プロピレン−エチレンコポリマー、ポリオレフィンブロックポリマー、ポリオレフィンホモポリマー、ポリエステル、ポリアミド、シリコーン、シアノアクリル系、アクリル系、ブチルゴム、及びこれらの組み合わせからなる群から選択される、請求項２５に記載のパッケージ。
２７．前記第１の複数の弾性体及び前記第２の複数の弾性体が、実質的にポリウレタン尿素からなる、請求項１〜２６のいずれか一項に記載のパッケージ。
２８．前記第１の複数の弾性体及び前記第２の複数の弾性体が、ポリウレタン尿素からなる、請求項１〜２７のいずれか一項に記載のパッケージ。
２９．前記前側ベルトが、第３の基材層及び第４の基材層を含み、前記第２の複数の弾性体が、前記接着剤を介して前記第１の基材層と第２の基材層との間に配置され、前記第１の基材層及び第２の基材層に接合される、請求項２５及び２６のいずれか一項に記載のパッケージ。
３０．前記前側ベルトが、第３の基材層を含み、前記第２の複数の弾性体が、前記接着剤を介して前記第２の基材層と第３の基材層との間に配置され、前記第２の基材層及び第３の基材層に接合される、請求項２５及び２６のいずれか一項に記載のパッケージ。
３１．前記第２の複数の弾性体が、前記接着剤を介して前記第１の基材層と第２の基材層との間に配置され、前記第１の基材層及び第２の基材層に接合される、請求項２５及び２６のいずれか一項に記載のパッケージ。
３２．前記接着剤が、熱可塑性、熱硬化性、ホットメルト、感圧性、溶剤型、及び反応性熱硬化性からなる群から選択される、請求項２５に記載のパッケージ。
３３．前記エラストマー積層体を形成するために前記第１の複数の弾性体を単一のビームから巻き出す工程を含む、請求項１〜３２のいずれか一項に記載の吸収性物品の製造方法。
３４．前記エラストマー積層体を形成するために前記第１の複数の弾性体及び前記第２の複数の弾性体を単一のビームから巻き出す工程を含む、請求項１〜３３のいずれか一項に記載の吸収性物品の製造方法。
３５．前記エラストマー積層体を形成するために、前記第１の複数の弾性体を第１のビームから巻き出す第１の工程を含み、前記第２の複数の弾性体を第２のビームから巻き出す第２の工程を含み、前記第２のビームが前記第１のビームから離間している、請求項１〜３２のいずれか一項に記載の吸収性物品の製造方法。
【０１５４】
例示の請求項セット２：
１．吸収性物品であって、
前側腰部領域と、後側腰部領域と、その間の股部領域と、
トップシートと、バックシートと、前記トップシートと前記バックシートとの間に配置された吸収性コアと、を含むシャーシであって、前記シャーシは、前端縁部と、後端縁部と、一対の横方向に対向する側縁部と、を含む、シャーシと、
前記シャーシの前記後側腰部領域に接合され、前記シャーシの前記後側腰部領域の外側に延在する後側ベルトと、
前記シャーシの前記前側腰部領域に接合され、前記シャーシの前記前側腰部領域の外側に延在する前側ベルトと、を含み、
前記前側ベルトは、前記横方向に対向するベルト側縁部で又は当該ベルト側縁部に隣接して前記後側ベルトに接合されて、脚部開口部及び腰部開口部を形成して、閉鎖形態のパンツを形成し、
長手方向軸は、前記前側腰部縁部の中点から前記後側腰部縁部の中点まで延在し、
横方向軸は、前記長手方向軸の中点を通って前記長手方向軸に垂直に延在し、
前記後側ベルトは、約６０本超の弾性ストランドを含む第１の複数の弾性体を含み、前記前側ベルトは、約６０本超の弾性ストランドを含む第２の複数の弾性体を含み、
前記第１の複数の弾性体は、４ｍｍ未満の平均ストランド間隔を有し、前記第２の複数の弾性体は、４ｍｍ未満の平均ストランド間隔を有し、
前記腰部輪郭に対する標的身体長さと前記腰部輪郭に対する製品長さとの間の差が、約−０．３〜約０．３であり、前記物品が、
（ａ）弛緩した製品腰部幅は、約２００ｍｍ〜約４００ｍｍであり、
（ｂ）約２５０ｍｍ〜約４５０の弛緩した製品長さと、
（ｃ）約２００〜約４５０ｍｍの弛緩した製品臀部幅と、のうちの少なくとも１つを含む、吸収性物品。
２．前記後側ベルトが、４つの等しいセクションに分割され、セクション４が、前記後側ベルトの近位端縁部を含み、セクション１が、前記後側ベルトの遠位端縁部を含み、セクション２が、セクション１に近接し、セクション３が、セクション４に近接し、前記前側ベルトが、４つの等しいセクションに分割され、セクション４が、前記前側ベルトの近位端縁部を含み、セクション１が、前記前側ベルトの遠位端縁部を含み、セクション２が、セクション１に近接し、セクション３がセクション４に近接する、請求項１に記載のパッケージ。
３．前記前側ベルトが、前側内側（着用者に面する）不織布と、前側外側（衣類に面する）不織布と、を含み、前記後側ベルトが、後側内側（着用者に面する）不織布と、後側外側（衣類に面する）不織布と、を含む、請求項１に記載のパッケージ。
４．前記前側内側不織布及び前記後側内側不織布が、互いに別個であり、かつ長手方向に離間している、請求項３に記載のパッケージ。
５．前記前側外側不織布及び前記後側外側不織布が、互いに別個であり、かつ長手方向に離間している、請求項３に記載のパッケージ。
６．前記前側外側不織布及び前記後側外側不織布が、同一の外側カバー不織布層から形成され、その結果、前記外側カバー不織布層は、前記前側腰部領域から前記後側腰部領域まで連続的に延在する、請求項４に記載のパッケージ。
７．前記物品が、
（ａ）弛緩した製品腰部幅は、約２２５ｍｍ〜約３７５ｍｍであり、
（ｂ）弛緩した製品長さは、約２７５ｍｍ〜約４２５であり、
（ｃ）弛緩した製品臀部幅は、約２２５ｍｍ〜約４２５ｍｍである、のうちの少なくとも２つを含む、請求項１〜６のいずれか一項に記載のパッケージ。
８．前記前側ベルトの前記セクションのうちの少なくとも１つが、少なくとも２０本の弾性ストランドを含み、前記後側ベルトの前記セクションのうちの少なくとも２つが、少なくとも２０本の弾性ストランドを含む、請求項２に記載のパッケージ。
９．前記前側ベルトの前記セクションのうちの少なくとも１つが、約３ｍｍ未満の平均ストランド間隔を有し、前記後側ベルトの前記セクションのうちの少なくとも２つが、約３ｍｍ未満の平均ストランド間隔を有する、請求項２及び８のいずれか一項に記載のパッケージ。
１０．前記後側ベルトのセクション１及び２の合計が、７５本超の弾性ストランドを含み、前記前側ベルトのセクション１及び２の合計が、７５本超の弾性ストランドを含む、請求項２、８、及び９のいずれか一項に記載のパッケージ。
１１．前記第１の複数の弾性体の少なくとも一部が、前記吸収性コアと重なり合い、前記第２の複数の弾性体の少なくとも一部が、前記吸収性コアと重なり合う、請求項１〜１０のいずれか一項に記載のパッケージ。
１２．前記物品が、
（ａ）弛緩した製品腰部幅は、約２５０ｍｍ〜約３５０ｍｍであり、
（ｂ）弛緩した製品長さは、約３００ｍｍ〜約４００であり、
（ｃ）弛緩した製品臀部幅は、約２５０ｍｍ〜約４００ｍｍである、のそれぞれを含む、請求項１〜１１のいずれか一項に記載のパッケージ。
１３．前記弛緩した製品腰部幅が、約２７５ｍｍ〜約３２５ｍｍである、請求項１〜１２のいずれか一項に記載のパッケージ。
１４．前記弛緩した製品腰部幅が、約２８５ｍｍ〜約３１５ｍｍである、請求項１に記載のパッケージ。
１５．前記弛緩した製品長さが、約３２５ｍｍ〜約３７５ｍｍである、請求項１〜１４のいずれか一項に記載のパッケージ。
１６．前記弛緩した製品長さが、約３３５ｍｍ〜約３６５ｍｍである、請求項１〜１５のいずれか一項に記載のパッケージ。
１７．前記腰部輪郭に対する標的身体長さと前記腰部輪郭に対する製品長さとが、約−０．２〜約０．２である、請求項１〜１６のいずれか一項に記載のパッケージ。
１８．前記腰部輪郭に対する標的身体長さと前記腰部輪郭に対する製品長さとが、約−０．１〜約０．１である、請求項１〜１７のいずれか一項に記載のパッケージ。
１９．前記腰部輪郭に対する標的身体長さと前記腰部輪郭に対する製品長さとが、約−０．０５〜約０．０５である、請求項１〜１８のいずれか一項に記載のパッケージ。
２０．前記第１の複数の弾性体及び前記第２の複数の弾性体が、ポリウレタン尿素を含む、請求項１〜１９のいずれか一項に記載のパッケージ。
２１．前記第１の複数の弾性体及び前記第２の複数の弾性体が、シリコーンオイル被覆を含む、請求項１〜２０のいずれか一項に記載のパッケージ。
２２．前記後側ベルトが、第１の基材層及び第２の基材層を含み、前記第１の複数の弾性体が、接着剤を介して前記第１の基材層と第２の基材層との間に配置され、前記第１の基材層及び第２の基材層に接合される、請求項１〜２１のいずれか一項に記載のパッケージ。
２３．前記接着剤が、スチレン系ブロックコポリマー、ポリオレフィン、エチレン−ビニルアセテート、ポリウレタン、エチレン−プロピレンコポリマー、プロピレン−エチレンコポリマー、ポリオレフィンブロックポリマー、ポリオレフィンホモポリマー、ポリエステル、ポリアミド、シリコーン、シアノアクリル系、アクリル系、ブチルゴムなどからなる群から選択される、請求項２２に記載のパッケージ。
２４．前記第１の複数の弾性体及び前記第２の複数の弾性体が、実質的にポリウレタン尿素からなる、請求項１〜２３のいずれか一項に記載のパッケージ。
２５．前記第１の複数の弾性体及び前記第２の複数の弾性体が、ポリウレタン尿素からなる、請求項１〜２４のいずれか一項に記載のパッケージ。
２６．前記前側ベルトが、第３の基材層及び第４の基材層を含み、前記第２の複数の弾性体が、前記接着剤を介して前記第１の基材層と第２の基材層との間に配置され、前記第１の基材層及び第２の基材層に接合される、請求項２２及び２３のいずれか一項に記載のパッケージ。
２７．前記前側ベルトが、第３の基材層を含み、前記第２の複数の弾性体が、前記接着剤を介して前記第２の基材層と第３の基材層との間に配置され、前記第２の基材層及び第３の基材層に接合される、請求項２２及び２３のいずれか一項に記載のパッケージ。
２８．前記第２の複数の弾性体が、前記接着剤を介して前記第１の基材層と第２の基材層との間に配置され、前記第１の基材層及び第２の基材層に接合される、請求項２２及び２３のいずれか一項に記載のパッケージ。
２９．前記接着剤が、熱可塑性、熱硬化性、ホットメルト、感圧性、溶剤型、反応性熱硬化性、及びこれらの組み合わせからなる群から選択される、請求項２２に記載のパッケージ。
３０．前記前側外側不織布及び前記後側外側不織布が、同一の外側カバー不織布層から形成され、その結果、前記外側カバー不織布層は、前記前側腰部領域から前記後側腰部領域まで連続的に延在し、前記前側内側不織布及び前記後側内側不織布が、同一の内側不織布層から形成され、その結果、前記内側不織布層は、前記前側腰部領域から前記後側腰部領域まで連続的に延在する、請求項３に記載のパッケージ。
３１．前記エラストマー積層体を形成するために前記第１の複数の弾性体を単一のビームから巻き出す工程を含む、請求項１〜３０のいずれか一項に記載の吸収性物品の製造方法。
３２．前記エラストマー積層体を形成するために前記第１の複数の弾性体及び前記第２の複数の弾性体を単一のビームから巻き出す工程を含む、請求項１〜３１のいずれか一項に記載の前記吸収性物品の製造方法。
３３．前記エラストマー積層体を形成するために、前記第１の複数の弾性体を第１のビームから巻き出す第１の工程を含み、前記第２の複数の弾性体を第２のビームから巻き出す第２の工程を含み、前記第２のビームが前記第１のビームから離間している、請求項１〜３０のいずれか一項に記載の吸収性物品の製造方法。
【０１５５】
方法：
一般的なサンプルの調製
一般的なサンプル調製は、方法自体内に特定のサンプル調製指示を有しない方法に使用されることが意図される。
【０１５６】
試験のために試料を回収する場合、標本は、複数の弾性ストランド及び／又は弾性材料を収容しなければならない（フィルム、弾性スクリム、弾性フォーム、弾性リボン、弾性ストリップなど）。弾性材料及び／又は弾性ストランドがサンプル内に完全に固定されていない状況では、試料は、試料の試験領域内の弾性材料及び／又は弾性ストランドが、試料の採取の結果として意図され、変更されていないような方法で得られなければならない。弾性材料又は任意の弾性ストランドが剥離、クリープ、又は積層体内若しくは積層体から分離される場合、試料は廃棄され、新たな試料が準備される。
【０１５７】
パンツについては、サイドパネルがシャーシに取り付けられている場合は、サイドパネルを取り外し、サイドシームでサイドパネルを分離する。パネルの全幅を横断する弾性材料を特定する。弾性材料又は弾性ストランドの長手方向最遠位縁部（腰部縁部に最も近い）及び弾性材料又は弾性ストランドの長手方向最近位縁部（脚部縁部に最も近い）を特定することにより、最遠位弾性ストランド又は弾性材料縁部と、最近位弾性ストランド又は弾性材料縁部との間の中点を決定する。４０ｍｍ幅のストリップを、中点を中心としたパネル全体にわたって横方向に切断する。弾性材料及び／又は弾性ストランドを含む前側及び後側サイドパネルのそれぞれについて繰り返す。
【０１５８】
テープ式については、耳パネルがシャーシに取り付けられている場合は、耳パネルを取り外す。パネルの全幅を横断する弾性材料を特定する。最遠位弾性材料縁部又は弾性ストランド（腰部縁部に最も近い）及び最近位弾性材料縁部又は弾性ストランド（脚部縁部に最も近い）を特定することにより、最遠位弾性ストランド又は弾性材料縁部と、最近位弾性ストランド又は弾性材料縁部との間の中点を決定する。４０ｍｍ幅のストリップを、中点を中心とした耳パネル全体にわたって横方向に切断する。弾性材料及び／又は弾性ストランドを含む前側及び後側耳パネルのそれぞれについて繰り返す。
【０１５９】
ベルト付き物品については、コアの側部に沿って腰部縁部まで線を延ばすことによって、前側及び後側で製品にマークを付ける。ベルトを剥離しないように、又は弾性体を解放しないように注意しながら、適切な手段（例えば、凍結スプレー）を使用して、物品からベルトを取り外す。前側ベルトを後側ベルトから任意のシームに沿って分離する。最遠位弾性材料縁部又は弾性ストランド（腰部縁部に最も近い）及び最近位弾性材料縁部又はストランド（脚部縁部に最も近い）を特定することにより、最遠位弾性ストランド又は弾性材料縁部と、最近位弾性ストランド又は弾性材料縁部との間の中点を決定する。直線状である場合には腰部縁部に平行に、直線状かつ中点を中心とした場合には弾性ストランドに平行に、４０ｍｍ幅のストリップをベルト部分全体にわたって切断する。ストリップが、弾性ストランド又は弾性材料を含まない領域（例えば、コアと重なり合った部分など）を有する場合、弾性ストランド／弾性材料の端部に沿って切断して、非弾性領域を取り外し、２つの試料として処理する。
【０１６０】
ウエストバンドについては、それらを単一の材料片として試験する。ベルトを剥離しないように、又は弾性体を解放しないように注意しながら、適切な手段（例えば、凍結スプレー）を使用して、物品からベルトを取り外す。
【０１６１】
レッグカフについては、レッグカフのそれぞれを、単一の材料片として試験する。内側レッグカフサンプルは、内側レッグカフの最近位縁部から、内側レッグカフの最遠位弾性部まで、これを含んで延在し、かつシャーシの前側及び後側腰部縁部まで長手方向に延在する内側レッグカフの部分であると考えられる。外側レッグカフサンプルは、外側レッグカフの最遠位縁部から、外側レッグカフの最近位弾性部まで、これを含んで延在し、かつシャーシの前側及び後側腰部縁部まで長手方向に延在する外側レッグカフの部分であると考えられる。
【０１６２】
全ての試料ストリップについて、スパン修正幅（Span Corrected Width）（ＳＣＷ）を次のように計算する。
【０１６３】
【数１】
0006888090.tif 000013
式中、ｄは２つの遠位ストランドの間の距離（ｍｍ）であり、ｎは、ｎ＞１のときのストランドの数である。各端部でストリップをクランプし、クランプ間の長さを１ｍｍ単位で測定する。３ｇ／ｍｍのＳＣＷに相当する重量を適用する。１０秒後、最終重量を１ｍｍ単位で測定した。伸長を、（最終長さ−初期長さ）／初期長さとして計算する。
【０１６４】
着用比率（Donning-Ratio）、腰部輪郭に対する製品長さ及び製品の臀部対腰部のシルエットの製品測定準備
全ての測定は、２２℃＋／−２°及び５０％ＲＨ＋／−２０％で行われる。
【０１６５】
目的
この方法は、その後の寸法測定用にパンツ型製品を準備するために使用される。この方法は、バッグから取り出された製品を開く、一貫した手段を提供する。この方法は、パンツ製品の全ての形態に適用可能である。コンピュータインターフェースを有する一定速度の延伸引張試験機を使用する。
【０１６６】
ロードセルは、ロードセル容量が５Ｎ負荷の精度を確実に０．１Ｎ以内にするように選択される。
【０１６７】
サンプルホルダー装置
それぞれ最長サイドシームの長さよりも長く伸張する、９．５０ｍｍのロッド半径を有する「Ｃ」（６０４）及び「Ｏ」（６０５）バーアタッチメント。図２０を参照されたい。バーは、それらの長手方向軸が同じ垂直平面内にあり、上部バーが下部バーの真上に取り付けられた状態で、引張試験機に水平に取り付けられる。
【０１６８】
装置設定
計器製造者の推奨に従って引張試験機装置を較正する。
【０１６９】
初期ゲージ長は、１０個のサンプル製品をバッグから取り出し、パンツ製品（６０７）を広げ、下の図２１に示されるようにそれらを平らに配置し、（６０６）に示されるように腰部でパンツの側部間の距離を測定することによって決定される。腰部測定値の平均は、特定の試料のセットの初期ゲージ長として使用される。初期ゲージ長は、上部バーの最上縁部から下部バーの最下縁部までの距離である。
【０１７０】
試料の操作を最小限にしながら、図２２に示すように、製品（６０７）全体をバーに適用する。
【０１７１】
サンプルを５Ｎの力で引っ張り、次いで１０秒間保持する。初期ゲージ長に戻る。
クロスヘッド速度＝２５４．０ｍｍ／分、データ取得速度＝５０Ｈｚ。
サイクル＝１
【０１７２】
操作を最小限にしながら、試料をバーから取り除く。図２に示すように、前面が上向きになるように、試料を平らに置く。
１０試料全てについて繰り返す
【０１７３】
物理的測定
下記の各測定は、別個の類似試料１０個に対して実施され、この１０個の別個の類似試料の平均が、その特定の試料セットの測定値と見なされる。
【０１７４】
弛緩した製品長さ（６００）
「弛緩した製品長さ」は、股部領域の長手方向最遠位点と前側腰部縁部に沿った長手方向最遠位点との間の長手方向距離である。長手方向距離は、製品の長手方向軸に平行に測定される。図２を参照されたい。
【０１７５】
弛緩した製品臀部幅（６０１）
弛緩した製品臀部幅は、左脚部開口部の上部縁部における製品の左側縁部の横方向最遠位点から、右脚部開口部の上部縁部における製品の右側縁部の横方向最遠位点までの横方向距離である。図２を参照されたい。横方向距離は、製品の長手方向軸に垂直に測定される。
【０１７６】
弛緩した製品腰部幅（６０２）
「弛緩した製品腰部幅」は、前側腰部縁部の右側の最遠位点から前側腰部縁部の左側の最遠位点までの横方向距離である。横方向距離は、製品の長手方向軸に垂直に測定される。図２を参照されたい。
【０１７７】
弛緩した製品股幅（６０８）
弛緩した製品股幅は、左脚部開口部の下部縁部における製品の左側縁部の横方向最遠位点から、右脚部開口部の下部縁部における製品の右側縁部の横方向最遠位点までの横方向距離である。図２を参照されたい。横方向距離は、製品の長手方向軸に垂直に測定される。
【０１７８】
平均ストランド間隔
認定されたＮＩＳＴ定規に対して較正され、０．５ｍｍまで正確な定規を使用して、セクション内の２つの遠位ストランド間の距離を０．５ｍｍ単位で測定し、次いで、そのセクション内のストランドの数−１で割る。
平均ストランド間隔＝ｄ／（ｎ−１）、ここでｎ＞１
０．１ｍｍ単位で報告する。
【０１７９】
ストランド下圧力（平均ストランド下圧力とも呼ばれる）
特定の条件下で、セクションの各個々の弾性ストランドによって付与される平均圧力として定義される。これらの条件は、次のように定義される（図１６を参照）。
−セクションは、７ｇｆ／ｍｍの応力まで引っ張られる（実験的に決定された消費者に好ましい応力範囲内）
−セクションは、その周囲が代表的周長として定義される円筒上に引っ張られる
式中：
−ストランド下圧力（ｐｓｉ）＝１．４２２＊ストランド力／（２＊代表的半径＊平均ストランド直径）
−代表的半径（ｍｍ）＝代表的周長／（２＊π）
−代表的周長（ｍｍ）＝４６０ｍｍ
−応力（ｇｆ／ｍｍ）＝（セクション内部のストランド力の合計）／（セクション幅）
−セクション幅（ｍｍ）＝（セクションにおける弾性体の数）＊平均ストランド間隔（ｍｍ）
−ストランド力（ｇｆ）＝ストランド歪み（％）＊０．０４６８７５＊平均Ｄｔｅｘ
−ストランド歪み（％）＝セクション内部の各弾性ストランドにおける歪み
−平均ストランド直径（ｍｍ）＝２＊ｓｑｒｔ（ストランド断面積／π）
−ストランド断面積（ｍｍ２）＝平均Ｄｔｅｘ／ストランド密度／１０，０００
−ストランド密度（ｇ／ｃｃ）＝１．１５ｇ／ｃｃ（ポリウレタン尿素系のスパンデックス弾性体の業界標準）
−Ｄｔｅｘ（ｇ／１０，０００ｍ）＝測定の標準的な織物単位。Ｄｔｅｘは、材料の１０，０００ｍに対する重量である。
−平均予歪み＝基材層と組み合わせる前のセクションにおける弾性ストランドの伸張の量
−最大歪み＝平均予歪み。これは、各セクションが引っ張られ得る歪みの最大量である。これは、平均予歪みを超えることはできない。
−最大断面力＝最大歪みまで引っ張られたセクションの各ストランドの合計。
【０１８０】
断面係数
所与のセクションの弾性率として定義される。断面係数（弾性率とも呼ばれる）は、３ｇｆ／ｍｍ〜７ｇｆ／ｍｍのセクションの応力対歪みデータの線形勾配である（図１５を参照）。断面係数を次のように計算する。
断面係数＝［７ｇｆ／ｍｍ−３ｇｆ／ｍｍ］／［（７ｇｆ／ｍｍでの断面歪み）−（３ｇｆ／ｍｍでの断面歪み）］
式中：
−７ｇｆ／ｍｍにおける断面歪み＝７ｇｆ／ｍｍ＊（平均ストランド間隔）／ＤＴＥＸ−ＦＡＣＴＯＲ
−３ｇｆ／ｍｍにおける断面歪み＝３ｇｆ／ｍｍ＊（平均ストランド間隔）／ＤＴＥＸ−ＦＡＣＴＯＲ
−平均ストランド間隔（ｍｍ）＝ｄ／（ｎ−１）
−ｄは、セクションの２つの遠位ストランド間の距離（ｍｍ）である。
−ｎは、ｎ＞１のときのストランドの数である。
−ＤＴＥＸ−ＦＡＣＴＯＲ＝３７．５＊平均Ｄｔｅｘ／８００（測定され、指定されたｄｔｅｘ）
−断面係数は、（ｇｆ／ｍｍ）単位で報告される。
【０１８１】
平均デシテックス（平均Ｄｔｅｘ）
平均デシテックス法を使用して、物品全体に存在する弾性繊維の長さ加重基準、又は物品から抽出された対象試料における平均Ｄｔｅｘを計算する。デシテックス値は、弛緩状態のその材料の１０，０００メートルで存在する繊維のグラム単位の質量である。弾性繊維又は弾性繊維を含有する弾性積層体のデシテックス値は、多くの場合、弾性繊維又は弾性繊維を含む弾性積層体の仕様の一部として製造業者によって報告される。平均Ｄｔｅｘは、入手可能な場合、これらの仕様から計算される。あるいは、これらの指定された値が既知でない場合、個々の弾性繊維のデシテックス値は、走査電子顕微鏡（ＳＥＭ）などの好適な顕微鏡技術を介して弛緩状態の繊維の断面積を決定することによって測定され、フーリエ変換赤外（ＦＴ−ＩＲ）分光法を介して繊維の組成を測定し、次いで、組成物の密度の文献値を使用して、繊維の１０，０００メートルで存在する繊維のグラム単位の質量を計算される。物品全体から除去された個々の弾性繊維、又は物品から抽出された試料について、製造業者に提供されるか、又は実験的に測定されたデシテックス値は、以下の表現で使用され、ここで、存在する弾性繊維間のデシテックス値の長さ加重平均が決定される。
【０１８２】
物品又は物品から抽出された試料中に存在する弾性繊維の長さは、既知であれば、それらを有する物品又は試料の構成要素とそれぞれ関連付けられた全体寸法及び弾性繊維予歪み比から計算される。あるいは、寸法及び／又は弾性繊維予歪み比は既知ではなく、吸収性物品又は吸収性物品から抽出された試料は分解され、全ての弾性繊維が取り除かれる。この分解は、例えば、接着剤を軟化させるために穏やかに加熱して、低温スプレー（例えば、Ｑｕｉｃｋ−Ｆｒｅｅｚｅ，Ｍｉｌｌｅｒ−Ｓｔｅｐｈｅｎｓｏｎ  Ｃｏｍｐａｎｙ（Ｄａｎｂｕｒｙ，ＣＴ））を用いて、又は接着剤を除去するが弾性繊維を膨張、変更、若しくは破壊しない適切な溶媒で行うことができる。弛緩状態の各弾性繊維の長さを測定し、ミリメートル（ｍｍ）単位で最も近いｍｍまで記録する。
【０１８３】
平均Ｄｔｅｘの計算
吸収性物品、又は吸収性物品から抽出された試料内に存在する弛緩した長さＬｉ及び、繊維デシテックス値ｄｉ（製造者の仕様又は実験的に測定される、のどちらかから得られる）の個々の弾性繊維ｆｉのそれぞれについて、吸収性物品、又は吸収性物品から抽出された試料の平均Ｄｔｅｘは、次のように定義される。
【０１８４】
【数２】
0006888090.tif 000014
式中、ｎは吸収性物品又は吸収性物品から抽出された試料中に存在する弾性繊維の総数である。平均Ｄｔｅｘは、デシテックスの最も近い整数値（１００００ｍ当たりのグラム）に報告される。
【０１８５】
任意の個々の繊維のデシテックス値が仕様から知られていない場合、以下に記載されるように実験的に決定され、結果として得られる繊維デシテックス値は、平均Ｄｔｅｘを決定するために上記の式で使用される。
【０１８６】
繊維に対するデシテックス値の実験的測定
上記の手順に従って吸収性物品又は吸収性物品から抽出された試料から取り出された弾性繊維のそれぞれについて、各弾性繊維Ｌｋの弛緩状態の長さを測定し、ミリメートル（ｍｍ）で最も近いｍｍまで記録する。各弾性繊維は、その組成を決定するために、ＦＴ−ＩＲ分光法を介して分析され、その密度ρｋは利用可能な文献値から決定される。最後に、各繊維をＳＥＭで分析する。繊維は、その長さに沿って垂直に３つのほぼ等しい位置で切断されて、ＳＥＭ分析用のきれいな断面を作り出す。これらの断面が露出した３つの繊維セグメントを、ＳＥＭサンプルホルダー上に弛緩状態で装着し、金でスパッタコーティングし、分析のためのＳＥＭに導入し、繊維断面を明確に解明するのに十分な解像度で撮像する。繊維断面は、測定された断面における任意の斜めの歪みを最小化するために、検出器に対して可能な限り垂直に配向される。繊維断面は、形状が変化してもよく、いくつかの繊維は複数の個々のフィラメントからなってもよい。いずれにせよ、３つの繊維断面のそれぞれの面積は、（例えば、円形繊維の直径、楕円形繊維の長軸及び短軸、及びより複雑な形状の画像分析を使用して）決定され、弾性繊維の３つの面積の平均ａｋ（平方マイクロメートル（μｍ２）の単位）は、０．１μｍ２単位で記録される。測定されたｋ番目の弾性繊維のデシテックスｄｋは次によって計算される。
ｄｋ＝１０  ０００ｍ×ａｋ×ρｋ×１０−６
式中、ｄｋは、グラム単位（計算された１０，０００メートル長さ当たり）であり、ａＫは、μｍ２単位であり、ρｋは、グラム毎立法センチメートル（ｇ／ｃｍ３）単位である。分析された任意の弾性繊維について、実験的に決定されたＬｋ及びｄｋ値は、その後、平均Ｄｔｅｘ用に上記の式で使用される。
【０１８７】
開口面積
弾性ストランドによって閉塞されていないセクションの割合として定義される。孔なしフィルムは、開口面積を０％有する。有孔フィルム開口面積＝（開口部によって占有される面積）／（フィルム全体の面積）。ベルト、サイドパネル、又は耳パネル、ウエストバンド、カフ、羽根のうちの１つ以上にフィルムを含む今日の市販の使い捨て吸収性物品は、５０％を超える開口面積を有すると考えられていない。
開口面積は、以下のように定義される。
開口面積（％）＝（平均ストランド直径）／平均ストランド間隔
【０１８８】
平均予歪み
試料の平均予歪みを、測定した力がセルの限界の１％〜９０％以内となるロードセルを使用した定速の延伸引張試験機（好適な計器は、ＭＴＳ  Ｓｙｓｔｅｍｓ  Ｃｏｒｐ．（Ｅｄｅｎ  Ｐｒａｉｒｉｅ，ＭＮ）から入手可能な、Ｔｅｓｔｗｏｒｋｓ４．０Ｓｏｆｔｗａｒｅを使用したＭＴＳ  Ｉｎｓｉｇｈｔである）で測定する。分析に先立ち、物品を２３℃±２℃、及び相対湿度５０％±２％で２時間調整し、同じ環境条件下で試験した。
【０１８９】
初期ゲージ長調整後に破断伸度を実行するように引張試験機をプログラムする。まず、クロスヘッドを１０ｍｍ／分で最大で０．０５Ｎの力まで上げる。電流ゲージを調整されたゲージ長に設定する。試料が破断するまで１００ｍｍ／分の速度でクロスヘッドを上昇させる（最大ピーク力の後の力降下２０％）。クロスヘッドをその元の位置に戻す。力及び伸長データは、試験を通して、１００Ｈｚの速度で得られる。
【０１９０】
較正されたキャリパブロックを使用して公称ゲージ長を４０ｍｍに設定し、クロスヘッドをゼロにする。試験ストリップの中央部がグリップの２０ｍｍ下方に位置付けられるように、試料を上部グリップに挿入する。試料は、引張軸に垂直に折り畳まれ、この位置を達成するためにグリップ内に配置されてもよい。グリップが閉じた後、余分な材料をトリミングすることができる。試験片を下部把持部に挿入し、閉じる。もう一度、ストリップを折り畳むことができ、次いでグリップが閉じた後にトリミングすることができる。ロードセルをゼロに合わせる。試料は、最小限のたるみを有するが、ロードセルにおける力が０．０５Ｎ未満であるべきである。試験プログラムを開始する。
【０１９１】
データから、力（Ｎ）対延伸（ｍｍ）を構成する。平均予歪みは、弾性体の不織布が係合される延伸部に対応する曲線の屈曲部から計算される。屈曲前の曲線の領域（主に弾性体）、及び屈曲後の領域（主に不織布）に対応する２本の線をプロットする。これら２本の線が交差する延伸を読み取り、延伸及び補正されたゲージ長から％予歪みを計算する。％予歪みとして０．１％を記録する。各エラストマー積層体の３つの複製サンプルの相加平均、及び０．１％単位で平均予歪みを計算する。
【０１９２】
経時的な力緩和
試料の経時的な力緩和を、測定した力がセルの限界の１％〜９０％以内となるロードセルを使用した定速の延伸引張試験機（好適な計器は、ＭＴＳ  Ｓｙｓｔｅｍｓ  Ｃｏｒｐ．（Ｅｄｅｎ  Ｐｒａｉｒｉｅ，ＭＮ）から入手可能な、Ｔｅｓｔｗｏｒｋｓ４．０Ｓｏｆｔｗａｒｅを使用したＭＴＳ  Ｉｎｓｉｇｈｔである）で測定する。分析に先立ち、物品を２３℃±２℃、及び相対湿度５０％±２％で２時間調整し、同じ環境条件下で試験した。１２．７ｍｍの幅のゲージ長さ２５．４ｍｍ（弾性伸縮に平行）を可能にするようにサンプルサイズを調製する。
【０１９３】
引張力が０．０２９４Ｎ／ｍｍに達する工学歪みを決定するために、引張試験機をプログラムして伸長を実行する。
【０１９４】
経時的な力緩和試験の間、上述のように第２のサンプルを調製し条件を整える。上述と同じ機器で、試験を実施した。これは、３７．８℃の温度で実施される。上記のように、試料を歪みまで伸長させる。サンプルを１０時間保持し、実験を通して１００Ｈｚの速度で力を記録し、押出ストランド先行技術製品のデータ、及び本明細書に記載されるようなビーム弾性体を含む本発明のエラストマー積層体のデータを示すチャートを図２３に示す。
【０１９５】
吸収性物品構成要素セクション
エラストマー積層体３０２を含む吸収性物品の構成要素は、構造体の測定及び詳細な特性評価を可能にするようにセクション化されてもよい。ウエストバンド１２２、ウエストキャップ１２３、内側レッグカフ１５０、外側レッグカフ１４０、及び横バリア１６５は全て、１つのセクションを含む。ウエストバンド１２２、ウエストキャップ１２３、内側レッグカフ１５０、外側レッグカフ１４０、及び横バリア１６５に関して、セクションは、最遠位弾性体と最近位側弾性体との間に配置され、かつそれを含む領域として定められる。
【０１９６】
シャーシ２００、トップシート１２４、バックシート１２５、サイドパネル３３０、耳パネル５３０、及びベルトパネル４３０などの他の構成要素は、全て、本明細書に記載されるような複数のセクションを含む。サイドパネル３３０、耳パネル５３０、及びベルトパネル４３０に関して、セクション化される構成要素の部分は、エラストマー積層体３０２の最遠位弾性体と、エラストマー積層体３０２の最近位弾性体との間に配置され、かつそれを含む領域として定められる。領域は、横方向軸４４に平行に延在し、最遠位弾性体の最遠位点を通過する第１の線、及び横方向軸に平行に延在し、最近位弾性体の最近位点を通過する第２の線によって画定される。これらの要素のそれぞれに関して、領域は次に、４つの等しいセクションに分割され、横方向軸４４に平行に配置され、第１の線と第２の線との間の距離の２５％、５０％、及び７５％に配置された３本の線によって画定される。領域は、最遠位弾性体を含む第１のセクションと、最近位弾性体を含む第４のセクションと、第１のセクションに隣接して配置された第２のセクションと、第２のセクションと第４のセクションとの間に配置された第３のセクションと、を含む。
【０１９７】
エラストマー積層体３０２の弾性体３１６が実質的に長手方向の配向で延在する、シャーシ２００、トップシート１２４、及びバックシート１２５に関して、セクション化される構成要素の部分は、長手方向軸４２の第１の側にあるエラストマー積層体３０２の最遠位弾性体と、長手方向軸４２の第２の側にあるエラストマー積層体３０２の最遠位弾性体との間に配置され、かつそれを含む領域として定められる。領域は、長手方向軸４２に平行に延在し、長手方向軸４２の第１の側にある最遠位弾性体の最遠位点を通過する第１の線、及び長手方向軸４２に平行に延在し、長手方向軸４２の第２の側にある最遠位弾性体の最遠位点を通過する第２の線によって画定される。これらの要素のそれぞれに関して、領域は次に、４つの等しいセクションに分割され、長手方向軸４２に平行に配置され、第１の線と第２の線との間の距離の２５％、５０％、及び７５％に配置された３本の線によって画定される。領域は、長手方向軸の第１の側にある最遠位弾性体を含む第１のセクションと、長手方向軸の第２の側にある最遠位弾性体を含む第４のセクションと、第１のセクションに隣接して配置された第２のセクションと、第２のセクションと第４のセクションとの間に配置された第３のセクションと、を含む。
【０１９８】
エラストマー積層体３０２の弾性体３１６が実質的に横方向の配向で延在する、シャーシ２００、トップシート１２４、及びバックシート１２５に関して、セクション化される構成要素の部分は、横方向軸４４の第１の側におけるエラストマー積層体３０２の最遠位弾性体と、横方向軸４４の第２の側におけるエラストマー積層体３０２の最遠位弾性体との間に配置され、かつそれを含む領域として定められる。領域は、横方向軸４４に平行に延在し、横方向軸４４の第１の側にある最遠位弾性体の最遠位点を通過する第１の線、及び横方向軸４４に平行に延在し、横方向軸４４の第２の側にある最遠位弾性体の最遠位点を通過する第２の線によって画定される。これらの要素のそれぞれに関して、領域は次に、４つの等しいセクションに分割され、横方向軸４４に平行に配置され、第１の線と第２の線との間の距離の２５％、５０％、及び７５％に配置された３本の線によって画定される。領域は、横方向軸の第１の側にある最遠位弾性体を含む第１のセクションと、横方向軸の第２の側にある最遠位弾性体を含む第４のセクションと、第１のセクションに隣接して配置された第２のセクションと、第２のセクションと第４のセクションとの間に配置された第３のセクションと、を含む。
【０１９９】
結論
本明細書で開示する寸法及び値は、列挙された正確な数値に厳密に限られるとして理解されるべきではない。その代わりに、特に指示がない限り、このような寸法はそれぞれ、列挙された値とその値を囲む機能的に同等な範囲との両方を意味することが意図されている。例えば、「４０ｍｍ」として開示される寸法は、「約４０ｍｍ」を意味することが意図される。
【０２００】
相互参照されるか又は関連する全ての特許又は特許出願、及び本願が優先権又はその利益を主張する任意の特許出願又は特許を含む、本明細書に引用される全ての文書は、明示的に除外されるか、又は別途制限されない限り、参照によりその全体が本明細書に組み込まれる。いかなる文献の引用も、本明細書中で開示又は特許請求される任意の発明に対する先行技術であるとはみなされず、あるいはそれを単独で又は他の任意の参考文献と組み合わせたときに、そのような任意の発明を教示、示唆、又は開示するとはみなされない。更に、本文書における用語の任意の意味又は定義が、参照することによって組み込まれた文書内の同じ用語の意味又は定義と矛盾する場合、本文書におけるその用語に与えられた意味又は定義が適用されるものとする。
【０２０１】
本開示の特定の実施形態について例示し記載したが、本発明の趣旨及び範囲から逸脱することなく他の様々な変更及び修正が可能であることは当業者には明白であろう。したがって、本発明の範囲内に含まれるそのような全ての変更及び修正は、添付の特許請求の範囲にて網羅することを意図したものである。
【図１】
0006888090.tif 000015
【図２】
0006888090.tif 000016
【図３】
0006888090.tif 000017
【図３Ａ】
0006888090.tif 000018
【図３Ｂ】
0006888090.tif 000019
【図４】
0006888090.tif 000020
【図５】
0006888090.tif 000021
【図５Ａ】
0006888090.tif 000022
【図６】
0006888090.tif 000023
【図７】
0006888090.tif 000024
【図７Ａ】
0006888090.tif 000025
【図７Ｂ】
0006888090.tif 000026
【図７Ｃ】
0006888090.tif 000027
【図７Ｄ】
0006888090.tif 000028
【図７Ｅ】
0006888090.tif 000029
【図８】
0006888090.tif 000030
【図９】
0006888090.tif 000031
【図９Ａ】
0006888090.tif 000032
【図１０】
0006888090.tif 000033
【図１１】
0006888090.tif 000034
【図１１Ａ】
0006888090.tif 000035
【図１１Ｂ】
0006888090.tif 000036
【図１２】
0006888090.tif 000037
【図１２Ａ】
0006888090.tif 000038
【図１２Ｂ】
0006888090.tif 000039
【図１２Ｃ】
0006888090.tif 000040
【図１３】
0006888090.tif 000041
【図１４】
0006888090.tif 000042
【図１４Ａ】
0006888090.tif 000043
【図１５】
0006888090.tif 000044
【図１６】
0006888090.tif 000045
【図１７】
0006888090.tif 000046
【図１８】
0006888090.tif 000047
【図１９】
0006888090.tif 000048
【図２０】
0006888090.tif 000049
【図２１】
0006888090.tif 000050
【図２２】
0006888090.tif 000051
【図２３】
0006888090.tif 000052
【図２４】
0006888090.tif 000053